(57)【要約】【課題】  黒色以外の色材を用いて生成する色情報を用いた場合においても判読性に優れた印刷出力を行えるようにした画像形成装置を提供する。【解決手段】  黒画像を、シアン色、イエロー色、マゼンタ色の３色の色材の画像を合成して印刷出力する際に、３色の色材の画像を形成するそれぞれの色材量を通常の印刷時の色材量より少ない色材量で印刷出力する。その方法として、例えば３色の色材の画像に対応する静電潜像を感光体上に形成する際に該感光体を露光する露光光量、３色の色材の画像に対応する静電潜像をそれぞれの色材で現像する現像装置の現像電圧、３色の色材の画像に対応する印刷データの画素数の少なくとも１つを制御する。【選択図】図１
2010079018.tif 000002
【特許請求の範囲】
【請求項１】
黒画像を、シアン色、イエロー色、マゼンタ色の３色の色材の画像を合成して代替印刷する代替印刷手段
を具備し、
前記代替印刷手段は、
前記３色の色材の画像を形成するそれぞれの色材量を通常の印刷時の色材量より少なく制御する色材量制御手段
を具備する画像形成装置。
【請求項２】
前記色材量制御手段は、
前記３色の色材の画像に対応する静電潜像を感光体上に形成する際に該感光体を露光する露光光量、前記３色の色材の画像に対応する静電潜像をそれぞれの色材で現像する現像装置の現像電圧、前記３色の色材の画像に対応する印刷データの画素数の少なくとも１つを制御する請求項１記載の画像形成装置。
【請求項３】
前記色材量制御手段は、
前記代替印刷する場合の前記３色の色材のそれぞれの最大量の比率を通常印刷時のそれぞれの最大量の比率と異ならせて制御する１または２記載の画像形成装置。
【請求項４】
黒画像を、シアン色、イエロー色、マゼンタ色の３色の色材の画像を合成して代替印刷する代替印刷手段
を具備し、
前記代替印刷手段は、
前記３色の色材の画像の解像度を通常の印刷時の解像度より低い解像度に制御する解像度制御手段
を具備する画像形成装置。
【請求項５】
印刷要求された印刷データの構成要素を識別する構成要素識別手段と、
前記構成要素識別手段により識別された構成要素が文字構成要素若しくは線画構成要素であって、当該文字構成要素若しくは線画構成要素の特徴に基づく制御条件に該当する場合に、前記文字構成要素若しくは線画構成要素の黒画像を、シアン色、イエロー色、マゼンタ色の３色の色材の画像を合成して代替印刷する代替印刷手段
を具備し、
前記代替印刷手段は、
前記３色の色材の画像に対応する静電潜像を感光体上に形成する際に該感光体を露光する各色材に対応する露光光量の中の少なくとも１の露光光量を通常の露光光量より低く制御する露光光量制御手段
を具備する画像形成装置。
【請求項６】
前記制御条件は、
前記印刷データの色情報による最大明度と最小明度との明度差が予め指定した範囲内であるかであって、
前記代替印刷手段は、
前記文字構成要素若しくは線画構成要素の黒画像が前記制御条件に該当する場合に前記３色の色材による代替印刷を行う請求項５記載の画像形成装置。
【請求項７】
前記制御条件は、
前記文字構成要素が予め指定した文字サイズ以下若しくは前記線画構成要素が予め指定した線幅以下であるかであって、
前記代替印刷手段は、
前記文字構成要素若しくは線画構成要素の黒画像が前記制御条件に該当する場合に前記３色の色材による代替印刷を行う請求項５記載の画像形成装置。
【請求項８】
前記露光光量制御手段は、
前記３色の色材による濃度が高くなるにつれて前記露光光量を一定割合で低下させる請求項５乃至７のいずれかに記載の画像形成装置。
【請求項９】
前記露光光量制御手段は、
前記３色の色材による濃度が予め指定した濃度よりも高い場合に、該指定した濃度以降の前記露光光量を一定割合で低下させる請求項５乃至７のいずれかに記載の画像形成装置。
【請求項１０】
前記代替印刷手段は、
色空間上の明度が予め指定した明度以下であるかの制御条件に該当する場合に該色空間上の色情報を前記３色の色材による色情報へ変換する色変換手段と
を更に具備し、
前記露光光量制御手段は、
前記色変換手段により色変換した色情報に基づいた各色材に対応する露光光量のうち少なくとも１の露光光量を通常の露光光量より低く制御する請求項５記載の画像形成装置。
【請求項１１】
前記露光光量制御手段は、
前記色空間上の明度が一定の明度以下である場合に前記露光光量を一定割合で増加させ、前記一定の明度以降を予め指定した露光光量とする請求項１０記載の画像形成装置。
【請求項１２】
前記露光光量制御手段は、
前記制御条件に該当する場合に、前記３色の色材を用いた黒色の色調を再現する階調補正を行う階調補正手段を更に具備する請求項１０記載の画像形成装置。
【請求項１３】
前記露光光量制御手段は、
前記制御条件に該当する場合に、前記構成要素識別手段で識別した構成要素の縁部に対応する前記露光光量を選択的に低く制御する請求項１０記載の画像形成装置。
【請求項１４】
印刷要求された印刷データの構成要素を識別する構成要素識別手段と、
前記構成要素識別手段により識別された構成要素が文字構成要素若しくは線画構成要素であって、当該文字構成要素若しくは線画構成要素の特徴に基づく制御条件に該当する場合に、前記文字構成要素若しくは線画構成要素の黒画像を、シアン色、イエロー色、マゼンタ色の３色の色材の画像を合成して代替印刷する代替印刷手段
を具備し、
前記代替印刷手段は、
前記３色の色材の画像に対応する静電潜像を感光体上に形成する際に該感光体を露光する各画像の画素の単位露光時間に対する実露光時間の露光比を低く制御する露光比制御手段
を具備する画像形成装置。
【請求項１５】
前記制御条件は、
前記印刷データの色情報による最大明度と最小明度との明度差が予め指定した範囲内であるかであって、
前記代替印刷手段は、
前記文字構成要素若しくは線画構成要素の黒画像が前記制御条件に該当する場合に前記３色の色材による代替印刷を行う請求項１４記載の画像形成装置。
【請求項１６】
前記制御条件は、
前記文字構成要素が予め指定した文字サイズ以下若しくは前記線画構成要素が予め指定した線幅以下であるかであって、
前記代替印刷手段は、
前記文字構成要素若しくは線画構成要素の黒画像が前記制御条件に該当する場合に前記３色の色材による代替印刷を行う請求項１４記載の画像形成装置。
【請求項１７】
前記露光比制御手段は、
前記３色の色材による濃度が高くなるにつれて前記単位露光時間に対する実露光時間の露光比を一定割合で低下させる請求項１４乃至１６のいずれかに記載の画像形成装置。
【請求項１８】
前記露光比制御手段は、
前記３色の色材による濃度が予め指定した濃度よりも高い場合に、該指定した濃度以降の前記単位露光時間に対する実露光時間の露光比を一定割合で低下させる請求項１４乃至１６のいずれかに記載の画像形成装置。
【請求項１９】
前記代替印刷手段は、
色空間上の明度が予め指定した明度以下であるかの制御条件に該当する場合に該色空間上の色情報を前記３色の色材による色情報へ変換する色変換手段と、
を具備し、
前記露光比制御手段は、
前記色変換手段により色変換した色情報に基づいた各色材に対応する露光光量のうち少なくとも１の前記露光比を通常の前記露光比より低く制御する請求項１４記載の画像形成装置。
【請求項２０】
前記露光比制御手段は、
前記色空間上の明度が一定の明度以下である場合に前記露光光量を一定割合で増加させ、前記一定の明度以降を予め指定した前記露光比とする請求項１４記載の画像形成装置。
【請求項２１】
前記露光比制御手段は、
前記制御条件に該当する場合に、前記３色の色材を用いた黒色の色調を再現する階調補正を行う階調補正手段を更に具備する請求項１４記載の画像形成装置。
【請求項２２】
前記露光比制御手段は、
前記制御条件に該当する場合に、前記構成要素識別手段で識別した構成要素の縁部に対応する前記露光比を選択的に低く制御する請求項１４記載の画像形成装置。
【発明の詳細な説明】
【技術分野】
【０００１】
本発明は、画像形成装置に関する。
【背景技術】
【０００２】
印刷データの印刷出力を行う電子写真式の画像形成装置（例えば、プリンタ）でＣＭＹ（Ｃ：シアン、Ｍ：マゼンタ、Ｙ：イエロー）の三原色を用いることによりフルカラー印刷等の画像形成を行う場合において、これら三原色全てを混合させることにより明度を低下させて生成したプロセスブラックと呼ばれる色を用いることが可能である。
【０００３】
これは、黒色トナー（Ｋ：ブラック）が現像器に搭載されていない場合、黒色トナー切れとなっている場合、黒色をデジタルウォーターマーク等の特殊な用途に用いる場合その他のＣＭＹの三原色のみでフルカラー印刷を行う場合に行われる。
【０００４】
すなわち、本来、黒色トナー一色で描画できる画像データを３色の重ね合わせにより印刷する場合である。３色の重ね合わせにより生成したプロセスブラックを用いた印刷用紙等の印字媒体上への印刷時には、文字の散り、転写不良、定着不良、ゴーストなどの欠陥が発生しやすい状態となっている。
【０００５】
特許文献１に開示された従来技術では、印刷出力する画像データに使用する当該色材の量が、貯蔵された色材の量よりも多い場合には当該色材を他の色材を用いて生成して印刷出力を行うことを可能としている。この生成される色材の一例として、プロセスブラックが示されている。
【０００６】
また、特許文献２に開示された従来技術では、無彩色となる画像領域を指定してカラー画像信号の補正を行うことでグレー色の忠実な再現を行うことを可能としている。
【特許文献１】特開２００４−２０９９４７号公報
【特許文献２】特開２００１−１１１８６１号公報
【発明の開示】
【発明が解決しようとする課題】
【０００７】
本発明は、黒色以外の色材を用いて生成する色情報を用いた場合においても判読性に優れた印刷出力を行えるようにした画像形成装置を提供することを目的とする。
【課題を解決するための手段】
【０００８】
上記目的を達成するため、請求項１の発明は、黒画像を、シアン色、イエロー色、マゼンタ色の３色の色材の画像を合成して代替印刷する代替印刷手段を具備し、前記代替印刷手段は、前記３色の色材の画像を形成するそれぞれの色材量を通常の印刷時の色材量より少なく制御する色材量制御手段を具備する。
【０００９】
また、請求項２の発明は、請求項１の発明において、前記色材量制御手段は、前記３色の色材の画像に対応する静電潜像を感光体上に形成する際に該感光体を露光する露光光量、前記３色の色材の画像に対応する静電潜像をそれぞれの色材で現像する現像装置の現像電圧、前記３色の色材の画像に対応する印刷データの画素数の少なくとも１つを制御する。
【００１０】
また、請求項３の発明は、請求項１または２の発明において、前記色材量制御手段は、前記代替印刷する場合の前記３色の色材のそれぞれの最大量の比率を通常印刷時のそれぞれの最大量の比率と異ならせて制御する。
【００１１】
また、請求項４の発明は、黒画像を、シアン色、イエロー色、マゼンタ色の３色の色材の画像を合成して代替印刷する代替印刷手段を具備し、前記代替印刷手段は、前記３色の色材の画像の解像度を通常の印刷時の解像度より低い解像度に制御する解像度制御手段を具備する。
【００１２】
また、請求項５の発明は、印刷要求された印刷データの構成要素を識別する構成要素識別手段と、前記構成要素識別手段により識別された構成要素が文字構成要素若しくは線画構成要素であって、当該文字構成要素若しくは線画構成要素の特徴に基づく制御条件に該当する場合に、前記文字構成要素若しくは線画構成要素の黒画像を、シアン色、イエロー色、マゼンタ色の３色の色材の画像を合成して代替印刷する代替印刷手段を具備し、前記代替印刷手段は、前記３色の色材の画像に対応する静電潜像を感光体上に形成する際に該感光体を露光する各色材に対応する露光光量の中の少なくとも１の露光光量を通常の露光光量より低く制御する露光光量制御手段を具備する。
【００１３】
また、請求項６の発明は、請求項５の発明において、前記制御条件は、前記印刷データの色情報による最大明度と最小明度との明度差が予め指定した範囲内であるかであって、前記代替印刷手段は、前記文字構成要素若しくは線画構成要素の黒画像が前記制御条件に該当する場合に前記３色の色材による代替印刷を行う。
【００１４】
また、請求項７の発明は、請求項５の発明において、前記制御条件は、前記文字構成要素が予め指定した文字サイズ以下若しくは前記線画構成要素が予め指定した線幅以下であるかであって、前記代替印刷手段は、前記文字構成要素若しくは線画構成要素の黒画像が前記制御条件に該当する場合に前記３色の色材による代替印刷を行う。
【００１５】
また、請求項８の発明は、請求項５乃至７のいずれかの発明において、前記露光光量制御手段は、前記３色の色材による濃度が高くなるにつれて前記露光光量を一定割合で低下させる。
【００１６】
また、請求項９の発明は、請求項５乃至７のいずれかの発明において、前記露光光量制御手段は、前記３色の色材による濃度が予め指定した濃度よりも高い場合に、該指定した濃度以降の前記露光光量を一定割合で低下させる。
【００１７】
また、請求項１０の発明は、請求項５の発明において、前記代替印刷手段は、色空間上の明度が予め指定した明度以下であるかの制御条件に該当する場合に該色空間上の色情報を前記３色の色材による色情報へ変換する色変換手段とを更に具備し、前記露光光量制御手段は、前記色変換手段により色変換した色情報に基づいた各色材に対応する露光光量のうち少なくとも１の露光光量を通常の露光光量より低く制御する。
【００１８】
また、請求項１１の発明は、請求項１０の発明において、前記露光光量制御手段は、前記色空間上の明度が一定の明度以下である場合に前記露光光量を一定割合で増加させ、前記一定の明度以降を予め指定した露光光量とする。
【００１９】
また、請求項１２の発明は、請求項１０の発明において、前記露光光量制御手段は、前記制御条件に該当する場合に、前記３色の色材を用いた黒色の色調を再現する階調補正を行う階調補正手段を更に具備する。
【００２０】
また、請求項１３の発明は、請求項１０の発明において、前記露光光量制御手段は、前記制御条件に該当する場合に、前記構成要素識別手段で識別した構成要素の縁部に対応する前記露光光量を選択的に低く制御する。
【００２１】
また、請求項１４の発明は、印刷要求された印刷データの構成要素を識別する構成要素識別手段と、前記構成要素識別手段により識別された構成要素が文字構成要素若しくは線画構成要素であって、当該文字構成要素若しくは線画構成要素の特徴に基づく制御条件に該当する場合に、前記文字構成要素若しくは線画構成要素の黒画像を、シアン色、イエロー色、マゼンタ色の３色の色材の画像を合成して代替印刷する代替印刷手段を具備し、前記代替印刷手段は、前記３色の色材の画像に対応する静電潜像を感光体上に形成する際に該感光体を露光する各画像の画素の単位露光時間に対する実露光時間の露光比を低く制御する露光比制御手段を具備する。
【００２２】
また、請求項１５の発明は、請求項１４の発明において、前記制御条件は、前記印刷データの色情報による最大明度と最小明度との明度差が予め指定した範囲内であるかであって、前記代替印刷手段は、前記文字構成要素若しくは線画構成要素の黒画像が前記制御条件に該当する場合に前記３色の色材による代替印刷を行う。
【００２３】
また、請求項１６の発明は、請求項１４の発明において、前記制御条件は、前記文字構成要素が予め指定した文字サイズ以下若しくは前記線画構成要素が予め指定した線幅以下であるかであって、前記代替印刷手段は、前記文字構成要素若しくは線画構成要素の黒画像が前記制御条件に該当する場合に前記３色の色材による代替印刷を行う。
【００２４】
また、請求項１７の発明は、請求項１４乃至１６のいずれかの発明において、前記露光比制御手段は、前記３色の色材による濃度が高くなるにつれて前記単位露光時間に対する実露光時間の露光比を一定割合で低下させる。
【００２５】
また、請求項１８の発明は、請求項１４乃至１６のいずれかの発明において、前記露光比制御手段は、前記３色の色材による濃度が予め指定した濃度よりも高い場合に、該指定した濃度以降の前記単位露光時間に対する実露光時間の露光比を一定割合で低下させる。
【００２６】
また、請求項１９の発明は、請求項１４の発明において、前記代替印刷手段は、色空間上の明度が予め指定した明度以下であるかの制御条件に該当する場合に該色空間上の色情報を前記３色の色材による色情報へ変換する色変換手段と、を具備し、前記露光比制御手段は、前記色変換手段により色変換した色情報に基づいた各色材に対応する露光光量のうち少なくとも１の前記露光比を通常の前記露光比より低く制御する。
【００２７】
また、請求項２０の発明は、請求項１４の発明において、前記露光比制御手段は、前記色空間上の明度が一定の明度以下である場合に前記露光光量を一定割合で増加させ、前記一定の明度以降を予め指定した前記露光比とする。
【００２８】
また、請求項２１の発明は、請求項１４の発明において、前記露光比制御手段は、前記制御条件に該当する場合に、前記３色の色材を用いた黒色の色調を再現する階調補正を行う階調補正手段を更に具備する。
【００２９】
また、請求項２２の発明は、請求項１４の発明において、前記露光比制御手段は、前記制御条件に該当する場合に、前記構成要素識別手段で識別した構成要素の縁部に対応する前記露光比を選択的に低く制御する。
【発明の効果】
【００３０】
本発明の請求項１によれば、シアン色、イエロー色、マゼンタ色の色材を用いて生成する色情報を用いた場合においても判読性に優れた印刷出力を行えるようになるという効果を奏する。
【００３１】
また、請求項２によれば、３色の色材の画像に対応する静電潜像を感光体上に形成する際に該感光体を露光する露光光量、前記３色の色材の画像に対応する静電潜像をそれぞれの色材で現像する現像装置の現像電圧、前記３色の色材の画像に対応する印刷データの画素数のいずれか少なくとも１つを制御することによって、色材の転写不良を防止し、判読性に優れた印刷出力が可能になるという効果を奏する。
【００３２】
また、請求項３によれば、３色の色材の最大比率を変えることにより色材の転写不良を防止し、判読性に優れた印刷出力が可能になるという効果を奏する。
【００３３】
また、請求項４によれば、解像度を低くすることにより３色の色材による転写不良を防止すると共にプロセスブラックを理想的な黒により近づけることができ、判読性に優れた印刷出力が可能になるという効果を奏する。
【００３４】
また、請求項５によれば、黒色以外の色材を用いた場合の印刷出力における露光光量の変更により転写ムラ等が発生しやすい状態でも判読性に優れた印刷出力を行えるようになるという効果を奏する。
【００３５】
また、請求項６によれば、印刷データの色情報の明度差が一定範囲内にある場合に印刷出力における露光光量の変更により転写ムラ等が発生しやすい状態でも判読性に優れた印刷出力を行えるようになるという効果を奏する。
【００３６】
また、請求項７によれば、印刷データを構成する文字構成要素の文字サイズおよび線画構成要素の線幅が一定値以下である場合に転写ムラ等が発生しやすい状態でも判読性に優れた印刷出力を行えるようになるという効果を奏する。
【００３７】
また、請求項８によれば、黒色以外の他の色材を用いた場合の濃度に応じて露光光量を低下させることで転写ムラ等が発生しやすい状態でも判読性に優れた印刷出力を行えるようになるという効果を奏する。
【００３８】
また、請求項９によれば、黒色以外の他の色材を用いた場合に濃度が予め指定した一定値を超えた場合に露光光量を低下させることで転写ムラ等が発生しやすい状態でも判読性に優れた印刷出力を行えるようになるという効果を奏する。
【００３９】
また、請求項１０によれば、色空間上の明度に基づく露光光量で印刷出力することにより転写ムラ等が発生しやすい状態でも判読性に優れた印刷出力を行えるようになるという効果を奏する。
【００４０】
また、請求項１１によれば、明度が低い場合であって転写ムラ等が発生しやすい状態でも判読性に優れた印刷出力を行えるようになるという効果を奏する。
【００４１】
また、請求項１２によれば、黒色以外の他の色材による黒色の色調を再現することによって判読性に優れた印刷出力が可能になるという効果を奏する。
【００４２】
また、請求項１３によれば、印刷データの縁部分について露光光量を変更することにより判読性に優れた印刷出力が可能になる。
【００４３】
また、請求項１４によれば、黒色以外の色材を用いた場合の印刷出力における画素単位での印字比率の変更により転写ムラ等が発生しやすい状態でも判読性に優れた印刷出力を行えるようになるという効果を奏する。
【００４４】
また、請求項１５によれば、印刷データの色情報の明度差が一定範囲内にある場合に印刷出力における画素単位での印字比率の変更により転写ムラ等が発生しやすい状態でも判読性に優れた印刷出力を行えるようになるという効果を奏する。
【００４５】
また、請求項１６によれば、印刷データを構成する文字構成要素の文字サイズおよび線画構成要素の線幅が一定値以下である場合に転写ムラ等が発生しやすい状態でも判読性に優れた印刷出力を行えるようになるという効果を奏する。
【００４６】
また、請求項１７によれば、黒色以外の他の色材を用いた場合の濃度に応じて画素単位での印字比率を低下させることで転写ムラ等が発生しやすい状態でも判読性に優れた印刷出力を行えるようになるという効果を奏する。
【００４７】
また、請求項１８によれば、黒色以外の他の色材を用いた場合に濃度が予め指定した一定値を超えた場合に画素単位での印字比率を低下させることで転写ムラ等が発生しやすい状態でも判読性に優れた印刷出力を行えるようになるという効果を奏する。
【００４８】
また、請求項１９によれば、色空間上の明度による各画素単位の印字比率で印刷出力することにより転写ムラ等が発生しやすい状態でも判読性に優れた印刷出力を行えるようになるという効果を奏する。
【００４９】
また、請求項２０によれば、明度が低い場合であって転写ムラ等が発生しやすい状態でも判読性に優れた印刷出力を行えるようになるという効果を奏する。
【００５０】
また、請求項２１によれば、黒色以外の他の色材による黒色の色調を再現することによって判読性に優れた印刷出力が可能になるという効果を奏する。
【００５１】
また、請求項２２によれば、印刷データの縁部分について印字比率を変更することにより判読性に優れた印刷出力が可能になる。
【発明を実施するための最良の形態】
【００５２】
以下、本発明に係わる画像形成装置の一実施例を添付図面を参照して詳細に説明する。
【００５３】
まず、一般的な電子写真式のプリンタにより行われる印刷データの印刷出力について説明する。
【００５４】
電子写真式のプリンタは、感光体ドラム上に印刷データに基づく静電画像を形成し、この静電画像に基づくトナーを印刷用紙等の印刷媒体に付着させることで印刷出力を行っている。
【００５５】
この感光体ドラム上の静電画像は以下の処理手順によって形成される。
【００５６】
まず、感光体ドラムにマイナスの電荷を一様に帯電させる帯電処理を行う。次に、電荷が帯電した感光体ドラムに印刷データに基づく絵柄をレーザー若しくはＬＥＤ（発光ダイオード）を用いて照射する露光処理を行う。この露光処理による照射により、絵柄の部分の電荷が放電された状態となる。
【００５７】
続いて、帯電させた状態の色材であるトナー（粒子材料）を現像ユニットから感光体ドラムに付着させる現像処理を行う。この現像処理によりトナーが絵柄の部分に付着された状態となる。
【００５８】
このようにして静電画像が形成された状態で、印刷用紙にプラスの電荷を与えることにより感光体ドラム上のトナーを印刷用紙に付着させる転写処理を行う。
【００５９】
これにより、印刷データに基づく印刷出力が行われる。なお、この転写処理後、一般的にはトナーを印刷用紙に定着させる定着処理が行われる。
【実施例１】
【００６０】
図１は、本発明の実施の形態における画像形成装置を適用して構成した画像形成装置の構成を示すブロック図の一例である。
【００６１】
図１において、この画像形成装置は、例えば印刷装置であって、コントローラ１０、エンジン２０とから構成され、コントローラ１０は、データ取得解析部１０１、オブジェクト識別部１０２、色変換処理部１０３、階調補正処理部（１０４Ａ、１０４Ｂ）（以下、総称して「階調補正処理部１０４」）、スクリーン処理部（１０５Ａ、１０５Ｂ）（以下、総称して「スクリーン処理部１０５」）、ページメモリ／合成処理部１０６、画像信号生成部１０７を具備して構成される。
【００６２】
また、エンジン２０は、出力制御部１２０、出力処理部１２１を具備して構成される。
【００６３】
この出力処理部１２１は、シアン色（Ｃ）、マゼンタ色（Ｍ）、イエロー色（Ｙ）の色材による印刷機構を少なくとも搭載し、このほかブラック色（Ｋ）の色材による印刷機構を搭載することも可能である。
【００６４】
このブラック色の使用用途が限定され若しくは残量不足である場合に、出力処理部１２１では、他の色材（シアン色、マゼンタ色、イエロー色）を用いて印刷出力処理を行う。これらシアン色、マゼンタ色、イエロー色は三原色とも示され、これらを総称してＣＭＹ色ともいう。
【００６５】
出力処理部１２１では、ＣＭＹ色を一定の割合で重ね合わせることにより、ブラック色に色彩が類似する「プロセスブラック」と呼ばれる色を生成して印刷出力を行うことも可能である。
【００６６】
コントローラ１０のデータ取得解析部１０１で印刷要求された印刷データを受信すると、データ取得解析部１０１では受信した印刷データを解析することによりその印刷データの印刷出力に関する情報を識別する。例えば、印刷出力における「プロセスブラック代替モード」が設定されているか否かなどを識別する。
【００６７】
このプロセスブラック代替モードは、例えば、印刷データの背景にドット形状からなる識別情報（識別画像）を印刷出力する際に設定されるモードであって、この場合、そのドット形状からなる識別情報を単色ブラック色で印刷出力し、印刷データ内で単色ブラック色による印刷出力が指示された情報をプロセスブラックを用いて印刷出力する。
【００６８】
続いて、オブジェクト識別部１０２でその印刷データを構成するオブジェクト（データ構成要素）を識別する処理を行う。この処理により、印刷データを構成する文字オブジェクト、グラフィックオブジェクト、イメージオブジェクトが識別される。
【００６９】
なお、オブジェクト識別部１０２では、識別したこれらのオブジェクトそれぞれに対して、各オブジェクトのサイズ情報（文字サイズ、線幅サイズ）を判断する処理を更に行うような構成であってもよい。
【００７０】
これらの各オブジェクトに対して単色ブラック色での印刷出力が指示されているオブジェクトを階調補正処理部１０４Ａに送出し、他の色材（シアン色、マゼンタ色、イエロー色）を用いたカラーでの印刷出力が指示されているオブジェクトを色変換処理部１０３へと送出する。
【００７１】
カラーでの印刷出力が指示されたオブジェクトに対しては、色変換処理部１０３で、レッド色（Ｒ）、グリーン色（Ｇ）、ブルー色（Ｂ）を元に構成される色をＣＭＹ色を用いた色へと変換する。その後、そのＣＭＹ色で色変換されたオブジェクトを階調補正処理部１０４Ｂへと送出し、階調補正を行う。また、階調補正処理部１０４Ｂで階調補正が行われると、スクリーン処理部１０５Ｂへと送出してスクリーン処理を行う。
【００７２】
このようにして階調補正、スクリーン処理が行われると、スクリーン処理部１０５Ｂは、カラー印刷が指示されたオブジェクトをページメモリ／合成処理部１０６へと送出する。
【００７３】
それに対して、単色ブラック色での印刷出力が指示されているオブジェクトである場合に、オブジェクト識別部１０２は、階調補正処理部１０４Ａへと送出する。
【００７４】
また、オブジェクト識別部１０２で各オブジェクトのサイズ情報を判断した場合、そのサイズ情報が所定のサイズ情報の範囲にある場合にそのオブジェクトを階調補正処理部１０４Ａへと送出する。
【００７５】
階調補正処理部１０４Ａでは、ＣＭＹ色を重ね合わせて生成したプロセスブラックを用いた印刷出力における階調補正を行う。
【００７６】
階調補正処理部１０４Ａによってプロセスブラックを用いた印刷出力における階調補正が行われると、スクリーン処理部１０５へとオブジェクトを送出する。スクリーン処理部１０５では、プロセスブラックを用いた印刷出力におけるスクリーン処理を行い、ページメモリ／合成処理部１０６へとオブジェクトを送出する。
【００７７】
ページメモリ／合成処理部１０６では、単色ブラック色での印刷出力が指示されたオブジェクトと、カラー印刷が指示されたオブジェクトとを合成し、合成した印刷データを画像信号生成部１０７へと送出する。
【００７８】
画像信号生成部１０７では、ページメモリ／合成処理部１０６から受信した印刷データに基づく画像信号を生成する。さらに、画像信号のエンジン２０における印刷出力時のトナー使用量制御処理を行う。
【００７９】
このトナー使用量制御処理は、単色ブラック色での印刷出力が指示されたオブジェクトを、プロセスブラックを用いて印刷出力する際に行われる処理であって、プロセスブラックの生成におけるＣＭＹの各色の使用量を制御する処理である。図４には、トナー使用量の制御処理前と制御処理後の総トナー量を示している。図４（ａ）は、トナー使用量制御処理により低減する前のトナー使用量を示し、図４（ｂ）は、トナー使用量制御処理により低減後のトナー使用量を示している。図４に示すシアン色、マゼンタ色、イエロー色の各色においてトナー使用量制御処理によりトナー使用量を低減している。
【００８０】
このトナー使用量の制御処理の詳細については以下で説明する。
【００８１】
このようにしてトナー使用量の制御処理が行われた画像信号生成部１０７では、画像信号をエンジン２０に送出するとともにトナー使用量の制御処理が行われた場合にはその制御処理に基づく制御信号をエンジン２０に送出する。
【００８２】
エンジン２０では、コントローラ１０の画像信号生成部１０７から送出された画像信号および制御信号を出力制御部１２０で受信する。
【００８３】
出力制御部１２０では、出力処理部１２１における印刷出力の制御処理を行う。例えば、出力処理部１２１のウォームアップ処理等があり、また、制御信号に基づく印刷出力を制御する。
【００８４】
出力処理部１２１では、画像信号に基づいてトナーを印刷媒体に転写することで印刷出力を行う。
【００８５】
以下では、トナー使用量の制御処理について説明する。
【００８６】
図２は、電子写真印刷を行う感光体の表面電位を示すグラフであって、横軸には感光体に照射するレーザー若しくはＬＥＤの光量を示し、縦軸に感光体の表面電位を示している。この図２に示すグラフでは、光量が増加するほど電位は下がり、また光量が小さくなれば電位が上がることを示している。
【００８７】
すなわち、光量が増加するほど感光体上に帯電した電荷が放電されて表面電位が下がることを示し、また、光量が低下するほど感光体上に帯電した電荷の放電割合が少なくなり表面電位が高い状態を示している。
【００８８】
図２に示す位置Ａでの光量が通常印刷時の光量を示しており、この光量における感光体の表面電位が「ＶＬ１」であることを示している。この状態で、ＣＭＹ色を用いたプロセスブラックでの印刷出力を行う際の光量を図２に示す位置Ｂの光量と設定する。
【００８９】
すなわち、通常の印刷出力に用いる光量より低下させた光量とした場合、感光体の表面電位が「ＶＬ２」となる。この表面電位「ＶＬ２」は、位置Ａの光量に対する感光体の表面電位よりも高い表面電位である。
【００９０】
すなわち、上記で説明するように感光体の表面電位が高くなればなるほど、現象処理におけるトナーの付着量が少なくなる。
【００９１】
さらに、以下では、他のトナー使用量の制御処理の例を示す。
【００９２】
図３は、電子写真印刷における感光体の表面電位と現像濃度の関係を示すグラフであって、縦軸に感光体の表面電位を示し、横軸に時間経過を示している。
【００９３】
図３では、感光体の初期帯電電位が「ＶＨ」であることを示しており、この初期帯電電位「ＶＨ」に対して現像ユニットにおける像保持体の表面電位が「Ｖｄｂ」である状態を示している。
【００９４】
このような状態において、図２の位置Ａで示す通常印刷を行う際のレーザの光量に対する表面電位「ＶＬ１」で文字やグラフィック、イメージの各オブジェクトを印刷出力する場合、現像に供する電位コントラストは像保持体の表面電位が「Ｖｄｂ」から表面電位「ＶＬ１」を差し引いた「Ｖｄｂ−ＶＬ１」となることを示している。
【００９５】
これに対して、図２の位置Ｂで示す光量とした場合の表面電位は「ＶＬ２」であり、この表面電位「ＶＬ２」で文字やグラフィック、イメージの各オブジェクトを印刷出力する場合、現像に供する電位コントラストは像保持体の表面電位が「Ｖｄｂ」から表面電位「ＶＬ２」を差し引いた「Ｖｄｂ−ＶＬ２」となることを示している。
【００９６】
表面電位「ＶＬ２」のほうが表面電位「ＶＬ１」よりも電位が高いことから、「Ｖｄｂ−ＶＬ２」のほうが「Ｖｄｂ−ＶＬ１」よりも現像に供する電位コントラストが小さいこととなる。すなわち、レーザー光の光量を下げることにより印字媒体に印字するトナー量が低減する。
【００９７】
また、転写トナー量を低減する他の方法として、図３に示す感光体の表面電位と現像濃度の関係のグラフ上に示す像保持体（像担持体）の表面電位を「Ｖｄｂ」から「Ｖｄｂ２」へと低下する方法もある。
【００９８】
この「Ｖｄｂ２」へと低下することで図２に示すレーザ光量が位置Ａの光量から変更することなく、現像に供する電位コントラストを小さくすることができ、印字媒体に印字するトナー量を低減する。
【００９９】
なお、図４は、ＣＭＹ３色を用いた印刷の際に上記処理による低減を行う前と低減を行った後のトナー使用量を示す図である。
【０１００】
図４（ａ）には、低減する前のトナー使用量を示し、図４（ｂ）には、低減後のトナー使用量を示す。
【０１０１】
図４（ｂ）に示すように、低減割合は異なるが、シアン色（Ｃ）、マゼンタ色（Ｍ）、イエロー色（Ｙ）の転写トナー量いずれもが低減している。
【０１０２】
このようなトナー使用量の制御処理における転写トナー量の低減を行う画像形成装置で行われる処理の流れを図５に示す。
【０１０３】
図５において、印刷要求元から印刷データの印刷要求を受信すると、処理が開始され、画像形成装置が単色の黒色トナーが使えない状態にあるかを判断する（５０１）。使用できない状態にある場合（５０１でＹＥＳ）には、続いて、シアン色（Ｃ）、マゼンタ色（Ｍ）、イエロー色（Ｙ）のＣＭＹ３色のいずれかのトナーが使用できない状態にあるかを判断する（５０２）。
【０１０４】
ＣＭＹ３色いずれかのトナーが使用できない状態にある場合（５０２でＹＥＳ）には、印刷出力することができない状態である旨のエラー通知を印刷要求元に行って（５０９）処理を終了する。また、ＣＭＹ３色いずれのトナーも使用できる状態にある場合（５０２でＮＯ）には、トナーの残量を印刷要求元に通知する（５０３）。
【０１０５】
次に、印刷要求にプロセスブラック代替モードが設定されているかを判断するし（５０４）。プロセスブラック代替モードが設定されている場合とは、黒色での印刷出力が指定されたオブジェクトを単色の黒色で印刷することができないときにプロセスブラックを代わりに用いて印刷出力することが許可されていることを示す。
【０１０６】
このプロセスブラック代替モードが印刷要求に設定されていない場合（５０４でＮＯ）には、印刷処理を継続できない旨のエラー表示を行って（５０９）、処理を終了する。それに対して、プロセスブラック代替モードが印刷要求に設定されている場合（５０４でＹＥＳ）には、続いて、印刷要求された印刷データをＲＧＢ色からＣＭＹ色へと色変換する処理を行う（５０５）。
【０１０７】
ＣＭＹ色へと色変換処理されると、続いて、当該色変換処理後のＣＭＹ色による印刷データの印刷に用いるトナー使用量の制御処理を行う（５０６）。このトナー使用量の制御処理は、図２および図３に示すグラフによる転写トナー量を低減させる処理であって、この制御処理における詳細な流れを図６および図７に示す。
【０１０８】
図６では、通常印刷時のレーザー光の光量に対して低い光量をＣＭＹ３色を用いた印刷時の光量と指定し（６０１）、指定した光量に基づくトナー量の転写を可能とするためにその光量を設定した設定情報を作成する（６０２）。
【０１０９】
また、図７では、像保持体（像担持体）の表面電位を指定し（７０１）、指定した表面電位を指定した設定情報を作成する（７０２）。
【０１１０】
この図６および図７に示す処理により設定情報を作成するトナー使用量の制御処理を行うと（５０６）、続いて、図５に示すフローチャートでは、その設定情報により設定されたレーザー光の光量の情報若しくは像保持体（像担持体）の表面電位の情報を、印刷要求された印刷データの画像形成処理を行うエンジンに通知する（５０７）。さらに、印刷要求された印刷データをエンジンに送出する（５０８）。
【０１１１】
なお、画像形成装置が単色の黒色トナーが使えない状態であるかを判断する処理（５０１）で、単色の黒色トナーが使えると判断する場合（５０１でＮＯ）には、続いて、シアン色（Ｃ）、マゼンタ色（Ｍ）、イエロー色（Ｙ）のＣＭＹ３色のいずれかのトナーが使用できない状態にあるかを判断する（５１０）。
【０１１２】
ＣＭＹ３色いずれのトナーも使用できる状態にある場合（５１０でＮＯ）には、通常印刷処理を行い（５１４）、生成した印刷データをエンジンに送出する（５０８）。
【０１１３】
また、ＣＭＹ３色いずれかのトナーが使用できない状態にある場合（５１０でＹＥＳ）には、トナーの残量を印刷要求元に通知し（５１１）、印刷要求にモノクロ印刷モードが設定されているかを判断する（５１２）。モノクロ印刷モードが設定されていない場合（５１２でＮＯ）には、印刷要求された印刷データを印刷出力することができない旨のエラー表示を行って（５０９）処理を終了する。
【０１１４】
それに対して、モノクロ印刷モードが設定されている場合（５１２でＹＥＳ）には、印刷要求された印刷データを単色の黒色トナーを用いたモノクロ印刷を行うためのモノクロに色変換を行う（５１３）。
【０１１５】
そして、モノクロに色変換を行った印刷データをエンジンに送出する（５０８）。
【０１１６】
このようにして画像形成装置でトナー使用量の制御処理が行われ、トナー使用量が低減される。
【０１１７】
さらに、以下では、他のトナー使用量の制御処理に付いて説明する。
【０１１８】
図８は、印刷データのオブジェクトのトナー付着率に対する単位面積あたりのトナー量を示すグラフであって、横軸にトナー付着率を示し、縦軸に単位面積あたりのトナー量を示す。
【０１１９】
通常印刷時のトナー付着率を「１００％」とした状態で、ＣＭＹ色の３色を用いてプロセスブラック若しくはグレー色によって印刷出力する際のトナー付着率を、通常印刷時のトナー付着率「１００％」よりも下げた付着率とする。
【０１２０】
すなわち、印刷データのオブジェクトのトナー濃度が低下し、トナー付着率「１００％」で印刷出力したときに対して間引いた印刷出力が行われる。
【０１２１】
このときの画像形成装置の一例である印刷装置における処理の流れを図９に示す。
【０１２２】
図９において、印刷要求元から印刷データの印刷要求を受信すると、処理が開始され、印刷装置が単色の黒色トナーが使えない状態にあるかを判断する（９０１）。使用できない状態にある場合（９０１でＹＥＳ）には、続いて、シアン色（Ｃ）、マゼンタ色（Ｍ）、イエロー色（Ｙ）のＣＭＹ３色のいずれかのトナーが使用できない状態にあるかを判断する（９０２）。
【０１２３】
ＣＭＹ３色いずれかのトナーが使用できない状態にある場合（９０２でＹＥＳ）には、印刷出力することができない状態である旨のエラー通知を印刷要求元に行って（９１１）処理を終了する。また、ＣＭＹ３色いずれのトナーも使用できる状態にある場合（９０２でＮＯ）、すなわち、プロセスブラックを用いて黒色で印刷出力が指示されたオブジェクトを印刷出力する場合には、まず、トナーの残量を印刷要求元に通知する（９０３）。
【０１２４】
次に、印刷要求にプロセスブラック代替モードが設定されているかを判断する（９０４）。プロセスブラック代替モードが設定されている場合とは黒色での印刷出力が指定されたオブジェクトを単色の黒色で印刷することができないときにプロセスブラックを代わりに用いて印刷出力することが許可されていることを示す。
【０１２５】
このプロセスブラック代替モードが印刷要求に設定されていない場合（９０４でＮＯ）には、印刷処理を継続できない旨のエラー表示を行って（９１１）、処理を終了する。それに対して、プロセスブラック代替モードが印刷要求に設定されている場合（９０４でＹＥＳ）には、続いて、印刷要求された印刷データで指定された色が黒またはグレーであるかを判断する（９０５）。黒またはグレーによる印刷が指定されている場合（９０５でＹＥＳ）には、その印刷データの階調補正処理を行い（９０６）、さらに通常印刷時のトナー付着率よりもトナー付着率を低下させたＣＭＹ色印刷時のトナー付着率に基づいてスクリーン処理を行う（９０７）。
【０１２６】
そして、ページメモリ合成処理／格納処理後（９０８）、パルス幅変調処理を行って（９０９）、印刷データをエンジンに送出する（９１０）。
【０１２７】
それに対して、印刷データで指定された色の判断処理（９０５）で、黒またはグレー色ではない場合（９０５でＮＯ）には、その印刷データで指定された色で印刷出力するために、まず色変換処理を行い（９１６）、階調補正処理を行い（９１７）、通常のスクリーン処理を行う（９１８）。そして、ページメモリ合成処理／格納処理後（９０８）、パルス幅変調処理を行って（９０９）、印刷データをエンジンに送出する（９１０）。
【０１２８】
なお、印刷装置が単色の黒色トナーが使えない状態であるかを判断する処理（９０１）で、単色の黒色トナーが使えると判断する場合（９０１でＮＯ）には、続いて、シアン色（Ｃ）、マゼンタ色（Ｍ）、イエロー色（Ｙ）のＣＭＹ３色のいずれかのトナーが使用できない状態にあるかを判断する（９１２）。
【０１２９】
ＣＭＹ３色いずれのトナーも使用できる状態にある場合（９１２でＮＯ）には、その印刷データで指定された色で印刷出力するために、まず色変換処理を行い（９１６）、階調補正処理を行い（９１７）、通常のスクリーン処理を行う（９１８）。そして、ページメモリ合成処理／格納処理後（９０８）、パルス幅変調処理を行って（９０９）、印刷データをエンジンに送出する（９１０）。
【０１３０】
また、ＣＭＹ３色いずれかのトナーが使用できない状態にある場合（９１２でＹＥＳ）には、トナーの残量を印刷要求元に通知し（９１３）、印刷要求にモノクロ印刷モードが設定されているかを判断する（９１４）。モノクロ印刷モードが設定されていない場合（９１４でＮＯ）には、印刷要求された印刷データを印刷出力することができない旨のエラー表示を行って（９１１）処理を終了する。
【０１３１】
それに対して、モノクロ印刷モードが設定されている場合（９１４でＹＥＳ）には、印刷要求された印刷データを単色の黒色トナーを用いたモノクロ印刷を行うためのモノクロに色変換を行う（９１５）。
【０１３２】
そして、モノクロに色変換を行った印刷データをエンジンに送出する（９１０）。
【０１３３】
このようにして印刷装置でトナー使用量の制御処理が行われ、トナー使用量が低減される。
【０１３４】
またさらに、以下では、他のトナー使用量の制御処理に付いて説明する。
【０１３５】
図１０は、電子写真印刷における感光体の表面電位を示すグラフであって、横軸には感光体に照射するレーザー若しくはＬＥＤの光量を示し、縦軸に感光体に帯電している表面電位を示している。
【０１３６】
図１０には、２つのグラフを示しており、[曲線１]は１２００ｄｐｉの解像度で印刷出力する場合の表面電位を示しており、[曲線２]は縦横のいずれか一方を６００ｄｐｉの解像度で印刷出力する場合の表面電位を示している。これら２つのグラフとも、光量が増加するほど電位は下がり、また光量が小さくなれば電位が上がることを示している。
【０１３７】
位置Ｅの光量に対して[曲線１]に示す１２００ｄｐｉの解像度のグラフでは、表面電位が「ＶＬ１」であることを示している。また、同じく位置Ｅの光量に対して[曲線２]に示す６００ｄｐｉの解像度のグラフでは、表面電位が「ＶＬ２」であることを示している。６００ｄｐｉの解像度のグラフで示す表面電位「ＶＬ２」は、１２００ｄｐｉの解像度のグラフで示す表面電位が「ＶＬ１」よりも高いことを示す。
【０１３８】
すなわち、解像度が小さい６００ｄｐｉの[曲線２]の方が同一の光量に対しては高い表面電位となる。
【０１３９】
解像度を１２００ｄｐｉから６００ｄｐｉに下げれば表面電位が上がることから、図３に示すグラフに示す像保持体の表面電位「Ｖｄｂ」との差が小さくなり、現像に供する電位コントラストが小さくなる。すなわち、印字媒体に印字するトナー量が低減する。
【０１４０】
図１１は、オブジェクトのサイズ情報が所定の範囲に属するサイズ情報である場合における印刷装置における処理の流れを示す図であって、トナー使用量の制御に解像度の変更を用いた場合の処理の流れを示している。
【０１４１】
図１１において、印刷要求元から印刷データの印刷要求を受信すると、処理が開始され、印刷装置が単色の黒色トナーが使えない状態にあるかを判断する（９０１）。使用できない状態にある場合（９０１でＹＥＳ）には、続いて、シアン色（Ｃ）、マゼンタ色（Ｍ）、イエロー色（Ｙ）のＣＭＹ３色のいずれかのトナーが使用できない状態にあるかを判断する（９０２）。
【０１４２】
ＣＭＹ３色いずれかのトナーが使用できない状態にある場合（９０２でＹＥＳ）には、印刷出力することができない状態である旨のエラー通知を印刷要求元に行って（９１１）処理を終了する。また、ＣＭＹ３色いずれのトナーも使用できる状態にある場合（９０２でＮＯ）、すなわち、プロセスブラックを用いて黒色で印刷出力が指示されたオブジェクトを印刷出力する場合には、まず、トナーの残量を印刷要求元に通知する（９０３）。
【０１４３】
次に、印刷要求にプロセスブラック代替モードが設定されているかを判断する（９０４）。プロセスブラック代替モードが設定されている場合とは黒色での印刷出力が指定されたオブジェクトを単色の黒色で印刷することができないときにプロセスブラックを代わりに用いて印刷出力することが許可されていることを示す。
【０１４４】
このプロセスブラック代替モードが印刷要求に設定されていない場合（９０４でＮＯ）には、印刷処理を継続できない旨のエラー表示を行って（９１１）、処理を終了する。それに対して、プロセスブラック代替モードが印刷要求に設定されている場合（９０４でＹＥＳ）には、続いて、印刷要求された印刷データで指定された色が黒またはグレーであるかを判断する（９０５）。黒またはグレーによる印刷が指定されている場合（９０５でＹＥＳ）には、さらに、黒またはグレーによる印刷が指定されたオブジェクトのサイズ情報を判断する（１１０１）。
【０１４５】
この判断処理（１１０１）では、文字オブジェクトの文字サイズが所定の文字サイズ以下またはグラフィックオブジェクトの線幅サイズが所定の線幅サイズ以下であるかを判断する。文字オブジェクトが所定の文字サイズ以下であって、また、グラフィックオブジェクトの線幅サイズが所定の線幅サイズ以下であると判断される場合（１１０１でＹＥＳ）には、その印刷データの階調補正処理を行い（９０６）、さらに通常印刷時のトナー付着率よりもトナー付着率を低下させたＣＭＹ色印刷時のトナー付着率に基づいてスクリーン処理を行う（９０７）。
【０１４６】
そして、これらのオブジェクトを印刷出力する際の解像度を設定する（１１０２）。
【０１４７】
その後、ページメモリ合成処理／格納処理後（９０８）、パルス幅変調処理を行って（９０９）、印刷データをエンジンに送出する（９１０）。
【０１４８】
それに対して、印刷データで指定された色の判断処理（９０５）で黒またはグレー色ではない場合（９０５でＮＯ）またはオブジェクトのサイズ情報の判断処理で文字オブジェクトが所定の文字サイズ以下ではなく、また、グラフィックオブジェクトの線幅サイズが所定の線幅サイズ以下でないと判断される場合（１１０１でＮＯ）には、その印刷データで指定された色で印刷出力するために、まず色変換処理を行い（９１６）、階調補正処理を行い（９１７）、通常のスクリーン処理を行う（９１８）。
【０１４９】
そして、ページメモリ合成処理／格納処理後（９０８）、パルス幅変調処理を行って（９０９）、印刷データをエンジンに送出する（９１０）。
【０１５０】
なお、印刷装置が単色の黒色トナーが使えない状態であるかを判断する処理（９０１）で、単色の黒色トナーが使えると判断する場合（９０１でＮＯ）には、続いて、シアン色（Ｃ）、マゼンタ色（Ｍ）、イエロー色（Ｙ）のＣＭＹ３色のいずれかのトナーが使用できない状態にあるかを判断する（９１２）。
【０１５１】
ＣＭＹ３色いずれのトナーも使用できる状態にある場合（９１２でＮＯ）には、その印刷データで指定された色で印刷出力するために、まず色変換処理を行い（９１６）、階調補正処理を行い（９１７）、通常のスクリーン処理を行う（９１８）。そして、ページメモリ合成処理／格納処理後（９０８）、パルス幅変調処理を行って（９０９）、印刷データをエンジンに送出する（９１０）。
【０１５２】
また、ＣＭＹ３色いずれかのトナーが使用できない状態にある場合（９１２でＹＥＳ）には、トナーの残量を印刷要求元に通知し（９１３）、印刷要求にモノクロ印刷モードが設定されているかを判断する（９１４）。モノクロ印刷モードが設定されていない場合（９１４でＮＯ）には、印刷要求された印刷データを印刷出力することができない旨のエラー表示を行って（９１１）処理を終了する。
【０１５３】
それに対して、モノクロ印刷モードが設定されている場合（９１４でＹＥＳ）には、印刷要求された印刷データを単色の黒色トナーを用いたモノクロ印刷を行うためのモノクロに色変換を行う（９１５）。
【０１５４】
そして、モノクロに色変換を行った印刷データをエンジンに送出する（９１０）。
【０１５５】
このようにして印刷装置でトナー使用量の制御処理が行われ、トナー使用量が低減される。
【０１５６】
図１２には、１２００ｄｐｉの解像度により印刷出力した文字と６００ｄｐｉの解像度により印刷出力した文字の例を示す。
【０１５７】
図１２（ａ）には、縦１２００ｄｐｉ×横１２００ｄｐｉの解像度で印刷出力した「Ａ」という文字を示し、図１２（ｂ）には、縦６００ｄｐｉ×横１２００ｄｐｉの解像度で印刷出力した「Ａ」という文字を示し、図１２（ｃ）には、縦１２００ｄｐｉ×横６００ｄｐｉの解像度で印刷出力した「Ａ」という文字を示す。
【０１５８】
図１２（ｂ）に示す縦６００ｄｐｉ×横１２００ｄｐｉの解像度による文字は、図１２（ａ）の解像度の文字に比べて縦方向の解像度が半分となっている。また、図１２（ｃ）に示す縦１２００ｄｐｉ×横６００ｄｐｉの解像度による文字は、図１２（ａ）の解像度の文字に比べて横方向の解像度が半分となっている。
【０１５９】
ＬＥＤによる露光処理の場合、図１２（ｂ）、図１２（ｃ）の解像度による文字は、図１３に示すようにＬＥＤを一間隔空けて照射する。すなわち、「ＥＶＥＮ」のＬＥＤによって照射する場合には「ＯＤＯ」のＬＥＤを不照射とし、また、「ＯＤＯ」のＬＥＤによって照射する場合には「ＥＶＥＮ」のＬＥＤを不照射とする。
【０１６０】
図１４は、図５および図９に示すような処理の適用前と適用後の印刷データの出力結果を示す図である。
【０１６１】
図１４（ａ）および図１４（ｂ）では、背景部のウォーターマークを単色の黒色を用いて印刷出力し、「Ｓｅｎｄ」という文字および線をプロセスブラックにより印刷出力した状態を示している。
【０１６２】
図１４（ａ）は、図５および図９に示すような処理の適用前の印刷データの出力結果を示す図であって、文字および線が滲んだ状態を示している。図１４（ｂ）は、図５および図９に示すような処理の適用後の印刷データの出力結果を示す図であって、図１４（ａ）に比べてより明確に文字および線が印刷出力されていることを示す。
【実施例２】
【０１６３】
図１５は、本発明の実施の形態における画像形成装置の構成を示すブロック図である。
【０１６４】
図１５において、画像形成装置の一例である印刷装置は、コントローラ１０、エンジン２０を具備し、コントローラ１０は、データ取得解析部２０１、描画部２０２、タグ生成部２０３、色変換部２０４、階調補正部２０５、網点生成部２０６、パルス幅変調処理部２０８を備え、エンジン２０は、出力制御部２０９、出力処理部２１０を備えた構成である。
【０１６５】
印刷要求された印刷データをデータ取得解析部２０１で取得し、描画部２０２へと送出する。このときの印刷要求された印刷データは、レッド色（Ｒ）、グリーン色（Ｇ）、ブルー色（Ｂ）（以下、「ＲＧＢ色」という）の色情報により構成されている。
【０１６６】
描画部２０２では、データ取得解析部２０１から受信した印刷データが構成する構成要素であるオブジェクトに分類し、分類後の各オブジェクトを識別する。このとき印刷データを構成するオブジェクトとして、例えば、文字オブジェクト、線画オブジェクト、イメージオブジェクトがある。
【０１６７】
文字オブジェクトは、文字により構成されるオブジェクトであって、線画オブジェクトは、線画である図形・グラフィックにより構成されるオブジェクトであり、イメージオブジェクトは、写真などのイメージ画像により構成されるオブジェクトである。
【０１６８】
描画部２０２により各オブジェクトに分類され、それぞれのオブジェクトが識別されると、印刷データを構成するオブジェクトの情報をタグ生成部２０３へと送出する。
【０１６９】
タグ生成部２０３では、描画部２０２から受信したオブジェクトの情報が文字オブジェクト若しくは線画オブジェクトである場合に、予め指定された印刷出力時の色材制御に関する条件に該当するか否かを判断する。この判断により色材制御に関する条件に該当する文字オブジェクト若しくは線画オブジェクトである場合、当該文字オブジェクト若しくは線画オブジェクトの色材制御に関する条件に基づくタグ情報を生成する。
【０１７０】
この印刷出力時の色材制御に関する条件は、例えば「文字オブジェクト若しくは線画オブジェクトがＲ＝Ｇ＝Ｂの明度若しくはＲ、Ｇ、Ｂの最大明度と最小明度との差が一定値以内」という条件や、「文字オブジェクトが所定の文字サイズ以下である若しくは線画オブジェクトが所定の線幅以下である」という条件などであって、印刷出力時の色材の使用量や色材間の使用割合などに対して制御を行うか否かを決定する条件である。
【０１７１】
このタグ情報は、その印刷出力時の色材制御に関する条件に該当するか否かを示す情報のほか、色材制御に関する設定情報を含み、色材制御に関する条件に該当する場合にはタグ情報として「１」を設定し、この条件に該当しない場合にはタグ情報として「０」を設定する。
【０１７２】
また、色材制御に関する設定情報として、この該当した条件により表される特徴を設定情報とし、Duty設定部２０７における処理に用いる。
【０１７３】
例えば、文字オブジェクトである場合、その文字オブジェクトを特徴付ける文字サイズが所定の文字サイズ以下であるという情報を設定情報として設定する。
【０１７４】
ちなみに、描画部２０２によってイメージオブジェクトが分類され、識別された場合には、そのオブジェクトに対するタグ情報として「０」が設定されたタグ情報を生成する。
【０１７５】
このようにして、タグ生成部２０３で各オブジェクトに対してタグ情報が生成されると、描画部２０２は、タグ生成部２０３からタグ情報を受信する。このとき、描画部２０２は、このタグ情報および各オブジェクトを色変換部２０４へと送出し、色変換処理を要求する。
【０１７６】
色変換部２０４では、受信した各オブジェクトに対して色変換処理を行う。この色変換処理は、例えば、印刷要求された印刷データのＲＧＢ色に基づく色情報を印刷出力時に用いるシアン色（Ｃ）、マゼンタ色（Ｍ）、イエロー色（Ｙ）（以下、「ＣＭＹ色」という）による色情報へと変換する処理がある。
【０１７７】
またこのほか、ＣＩＥ  Ｌ＊ａ＊ｂ＊色空間におけるＬ＊ａ＊ｂ＊の色座標値をＣＭＹ色へと色変換する処理もある。なお、ＣＩＥ  Ｌａｂ色空間における「Ｌ＊」は色の明度を表し、「ａ＊」は赤−緑の軸空間における彩度を示し、「ｂ＊」は黄−青の軸空間における彩度を示す。以下では、Ｌ＊ａ＊ｂ＊の色座標を単に「Ｌａｂ」と示す。
【０１７８】
このように、元となるオブジェクトの色情報に基づいて色変換部２０４でＣＭＹ色へと色変換処理を行うと、色変換を行ったオブジェクトおよびタグ情報を階調補正部２０５へと送出する。
【０１７９】
階調補正部２０５では、色変換部２０４で色変換した変換後のＣＭＹ色に基づいて階調補正を行う。この階調補正部２０５では、さらに、タグ生成部２０３により生成されたタグ情報が「０」であるか「１」であるかを判断するほか、ある特定の色（シアン色、マゼンタ色、イエロー色）のみをタグ情報で「１」であると判断された場合と同様の処理を行うことが指定されているかを判断する。
【０１８０】
タグ情報が「１」である場合には、各オブジェクトおよびタグ情報をDuty設定部２０７へ送出し、タグ情報が「０」である場合には、各オブジェクトおよびタグ情報を網点生成部２０６へと送出する。
【０１８１】
タグ情報が「１」である場合に送出されたDuty設定部２０７では、タグ情報の設定情報に基づき画素単位での印字比率（Duty）を設定する。例えば、印字するＣＭＹ色の各色材のDutyを通常印刷時のDuty（１００％）よりも低減させ、全体の総トナー量（パイルハイト）を低減するようなDutyの設定を行う。
【０１８２】
このときのDutyは、予め指定された値であるほか、タグ情報に含まれる色材制御に関する設定情報に基づいて設定されることも可能である。もちろん、ＣＭＹ色の各色ごとにDutyを設定するような構成であってもよい。
【０１８３】
例えば、タグ情報に含まれる色材制御に関する設定情報として「所定の文字サイズ以下である」が設定されている場合、Duty設定部２０７では、所定の文字サイズ以下の場合におけるDutyを、別途管理される管理テーブルから取得して設定するほか、図１７や図１８等に示すグラフによって決定する。
【０１８４】
続いて、タグ情報が「０」である場合に送出された網点生成部２０６では、濃淡を表現する網点（「点画像」ともいう）を生成する処理を行う。
【０１８５】
なお、上記の処理では、描画部２０２から送出されたオブジェクトおよびタグ情報を色変換部２０４で受信するような構成としているが、これに限定されることなく、階調補正部２０５において「Ｒ＝Ｇ＝Ｂ若しくはＲ、Ｇ、Ｂの最大明度と最小明度との差が一定値以内」である場合にグレー色専用の階調補正を行うことが設定されているときには、描画部２０２によってタグ生成部２０３で生成されたタグ情報が「１」であると識別することにより、色変換部２０４ではなく階調補正部２０５へとオブジェクトおよびタグ情報を送出するような構成としてもよい。
【０１８６】
このようにして、Duty設定部２０７、網点生成部２０６でそれぞれ処理が行われると、各オブジェクトをパルス幅変調処理部２０８に送出する。パルス幅変調処理部２０８では、各オブジェクトを合成し、合成後の印刷データに対してDuty設定が行われている場合にはそのDutyによりパルス幅を変調させる処理を行う。
【０１８７】
パルス幅変調処理部２０８によりパルス幅の変調処理が行われると、エンジン２０に印刷データを送出する。
【０１８８】
エンジン２０では、パルス幅変調処理部２０８から受信した印刷データを出力制御部２０９で受信し、この出力制御部２０９が印刷データに基づく出力制御を行い、出力処理部２１０へと送出することで出力処理部２１０が印刷出力の処理を行う。
【０１８９】
出力制御部２０９では、Duty設定部２０７でDutyが設定された場合には、このDutyに基づくパルス幅で各画素の印刷出力を可能とする制御処理を行い、通常のDutyでの印刷出力に比べて、少ない色材量での印刷出力を行う。
【０１９０】
以下では、タグ生成部２０３で生成されたタグ情報に含まれる印刷出力時の色材制御に関する条件およびDuty設定部２０７で設定したDutyの値に基づく処理を図１６〜図３４に示し、以下で説明する。
【０１９１】
図１６は、条件を「Ｒ＝Ｇ＝Ｂの明度若しくはＲ、Ｇ、Ｂの最大明度と最小明度との差が一定値以内」とした際の本発明の実施の形態における画像形成装置で行われる処理の流れを示すフローチャートである。
【０１９２】
図１６において、まず、分類されたオブジェクトが文字オブジェクト若しくは線画オブジェクトであるかを判断し（１６０１）、文字オブジェクト若しくは線画オブジェクトでない場合（１６０１でＮＯ）には、タグ情報として「０」を設定する（１６０４）。また、文字オブジェクト若しくは線画オブジェクトであると判断した場合（１６０１でＹＥＳ）には、続いて、この各オブジェクトが印刷出力時の色材制御に関する条件に該当するかを判断する。
【０１９３】
この印刷出力時の色材制御に関する条件として「Ｒ＝Ｇ＝Ｂの明度若しくはＲ、Ｇ、Ｂの最大明度と最小明度との差が一定値以内」の条件に該当するかを判断する（１６０２）。この条件に該当する場合（１６０２でＹＥＳ）には、タグ情報として「１」を設定する（１６０３）。また、該当しない場合（１６０２でＮＯ）には、タグ情報として「０」を設定する（１６０４）。
【０１９４】
このようにしてタグ情報が設定されると、続いて、ＲＧＢ色からＣＭＹ色への色変換処理を行い（１６０５）、変換後のＣＭＹ色の階調補正を行う（１６０６）。階調補正処理が行われたオブジェクトに対するタグ情報に「１」が設定されているかを判断し（１６０７）、タグ情報に「１」が設定されている場合（１６０７でＹＥＳ）には、予め設定された値若しくはタグ情報に含まれる色材制御に関する設定情報に基づいてDutyの設定を行う（１６０８）。例えば、Dutyを「７０％」に設定する。
【０１９５】
また、タグ情報として「０」が設定されている場合（１６０７でＮＯ）には、網点生成処理を行う（１６０９）。
【０１９６】
続いて、Dutyが設定されている場合にはその設定されたDutyに基づいてパルス幅変調処理を行い（１６１０）、網点生成処理が行われている場合には網点処理後の各オブジェクトを合成した印刷データに対してパルス幅変調を行う（１６１０）。
【０１９７】
このときのDutyは、図１７、図１８に示すグラフを元に決定する。
【０１９８】
図１７には、ＣＭＹ色の濃度に対するDuty（％）を示すグラフであって、横軸にＣＭＹ色の濃度を示し、縦軸にDutyの値を示す。
【０１９９】
この図１７では、ＣＭＹの各色の濃度が高くなれば（濃くなれば）なるほど、Dutyを一定の割合で少なくしていくことを示している。また、この一定の割合がイエロー色、マゼンタ色、シアン色の順に大きいことを示している。すなわち、ＣＭＹ色の濃度が濃くなればなるほど、イエロー色よりもマゼンタ色、マゼンタ色よりもシアン色のDutyを小さくすることを示している。
【０２００】
図１８は、図１７に示すＣＭＹ色の濃度に対するDutyを示すグラフの他の例であって、濃度が高くなることによりＣＭＹ色の総トナー量（パイルハイト）が高くなる一定の範囲でのみＣＭＹ各色のDutyを一定割合で小さくすることを示している。
【０２０１】
図１８では、地点Ａの濃度まではＣＭＹの各色とも通常のDuty（１００％）とするがこの地点Ａを超えた濃度となる場合に一定の割合で各色ともDutyを小さくしている。また、この一定の割合がイエロー色、マゼンタ色、シアン色の順に大きいことを示している。
【０２０２】
これらの図を用いてDutyを決定し、印刷出力時に用いるDutyを設定する（１６１８）。
【０２０３】
図１９は、条件を「Ｒ＝Ｇ＝Ｂの明度若しくはＲ、Ｇ、Ｂの最大明度と最小明度との差が一定値以内」と「文字オブジェクトが所定の文字サイズ以下である若しくは線画オブジェクトが所定の線幅以下である」とした際の本発明の実施の形態における画像形成装置で行われる処理の流れを示すフローチャートである。
【０２０４】
図１９において、まず、分類されたオブジェクトが文字オブジェクト若しくは線画オブジェクトであるかを判断し（１６０１）、文字オブジェクト若しくは線画オブジェクトでない場合（１６０１でＮＯ）には、タグ情報として「０」を設定する（１６０４）。また、文字オブジェクト若しくは線画オブジェクトであると判断した場合（１６０１でＹＥＳ）には、続いて、この各オブジェクトが印刷出力時の色材制御に関する条件に該当するかを判断する。
【０２０５】
この印刷出力時の色材制御に関する条件として「Ｒ＝Ｇ＝Ｂの明度若しくはＲ、Ｇ、Ｂの最大明度と最小明度との差が一定値以内」の条件に該当するかを判断する（１６０２）。この条件に該当する場合（１６０２でＹＥＳ）には、続いて、「文字オブジェクトが所定の文字サイズ以下である若しくは線画オブジェクトが所定の線幅以下である」の条件に該当するかを判断する（１９０１）。
【０２０６】
文字オブジェクトが所定の文字サイズ以下であり、若しくは線画オブジェクトが所定の線幅以下である場合（１９０１でＹＥＳ）には、タグ情報として「１」を設定する（１６０３）。また、１６０２の処理、１９０１の処理においていずれの条件にも該当しない場合（１６０２でＮＯ、１９０１でＮＯ）には、タグ情報として「０」を設定する（１６０４）。
【０２０７】
このようにしてタグ情報が設定されると、続いて、ＲＧＢ色からＣＭＹ色への色変換処理を行い（１６０５）、変換後のＣＭＹ色の階調補正を行う（１６０６）。階調補正処理が行われたオブジェクトに対するタグ情報に「１」が設定されているかを判断し（１６０７）、タグ情報に「１」が設定されている場合（１６０７でＹＥＳ）には、予め設定された値若しくはタグ情報に含まれる色材制御に関する設定情報に基づいてDutyの設定を行う（１６０８）。また、タグ情報として「０」が設定されている場合（１６０７でＮＯ）には、網点生成処理を行う（１６０９）。
【０２０８】
続いて、Dutyが設定されている場合にはその設定されたDutyに基づいてパルス幅変調処理を行い（１６１０）、網点生成処理が行われている場合には網点処理後の各オブジェクトを合成した印刷データに対してパルス幅変調を行う（１６１０）。
【０２０９】
図２０は、条件を「ＣＩＥ  Ｌ＊ａ＊ｂ＊色空間におけるａ＊の彩度とｂ＊の彩度に基づく彩度（Ｃ＊）が一定値以内であって、かつＬ＊の明度が一定値以内」とした際の本発明の実施の形態における画像形成装置で行われる処理の流れを示すフローチャートである。
【０２１０】
図２０において、まず、分類されたオブジェクトが文字オブジェクト若しくは線画オブジェクトであるかを判断し（１６０１）、文字オブジェクト若しくは線画オブジェクトでない場合（１６０１でＮＯ）には、タグ情報として「０」を設定する（１６０４）。また、文字オブジェクト若しくは線画オブジェクトであると判断した場合（１６０１でＹＥＳ）には、続いて、この各オブジェクトが印刷出力時の色材制御に関する条件に該当するかを判断する（２００１）。
【０２１１】
この印刷出力時の色材制御に関する条件として「ＣＩＥ  Ｌ＊ａ＊ｂ＊色空間におけるａ＊の彩度とｂ＊の彩度に基づく彩度（Ｃ＊）が一定値以内であって、かつＬ＊の明度が一定値以内」の条件に該当するかを判断する（２００１）。この条件に該当する場合（２００１でＹＥＳ）には、タグ情報として「１」を設定する（１６０３）。また、この条件に該当しない場合（２００１でＮＯ）には、タグ情報として「０」を設定する（１６０４）。
【０２１２】
このようにしてタグ情報が設定されると、続いて、Ｌａｂ空間からＣＭＹ色への色変換処理を行い（２００２）、変換後のＣＭＹ色の階調補正を行う（１６０６）。階調補正処理が行われたオブジェクトに対するタグ情報に「１」が設定されているかを判断し（１６０７）、タグ情報に「１」が設定されている場合（１６０７でＹＥＳ）には、予め設定された値若しくはタグ情報に含まれる色材制御に関する設定情報に基づいてDutyの設定を行う（１６０８）。また、タグ情報として「０」が設定されている場合（１６０７でＮＯ）には、網点生成処理を行う（１６０９）。
【０２１３】
続いて、Dutyが設定されている場合にはその設定されたDutyに基づいてパルス幅変調処理を行い（１６１０）、網点生成処理が行われている場合には網点処理後の各オブジェクトを合成した印刷データに対してパルス幅変調を行う（１６１０）。
【０２１４】
図２１は、ＣＩＥ  Ｌａｂ色空間におけるａ＊の彩度とｂ＊の彩度に基づく彩度（Ｃ＊）に対するDuty（％）を示すグラフであって、横軸にＣ＊の彩度を示し、縦軸にDutyの値を示す。
【０２１５】
このＣ＊は、次の式により求められる値である。
【０２１６】
式  ：  Ｃ＊＝（ａ＊のべき乗＋ｂ＊のべき乗）全体のルート根
このＣ＊の値が大きくなればなるほど、彩度は大きくなることを示す。この図２１では、Ｃ＊の値が「０」から地点Ｂの値となるまでの一定の範囲内で通常のDuty（１００％）よりも小さくし、Ｃ＊の値が地点Ｂの値を超えると以降のDutyを通常のDuty（１００％）としている。Ｃ＊の値が「０」から地点Ｂの値となるまでは、ＣＭＹの各色とも一定の割合で増加させ、地点ＢのＣ＊の値でDutyが１００％としている。この一定の割合の増加率はイエロー色、マゼンタ色、シアン色の順で大きくなっている。
【０２１７】
このときの具体的な値を図２２に示す。なお、図２２では、Dutyの値を決定するために「Ｃ＊」の値と「Ｌ＊」の値を用いた例を示す。
【０２１８】
図２２は、[Ｌ＊]項目２２０１、[Ｃ＊]項目２２０２、[Duty]項目２２０３によって構成される。
【０２１９】
図２２において、[Ｌ＊]項目２２０１により示される「Ｌ＊」が「３５＜Ｌ＊≦４０」であって、[Ｃ＊]項目２２０２により示される「Ｃ＊」が「９＜Ｃ＊≦１０」である場合、[Duty]項目２２０３により示されるDutyを「１００％」とすることを示す。また、[Ｌ＊]項目２２０１により示される「Ｌ＊」が「Ｌ＊≦１０」であって、[Ｃ＊]項目２２０２により示される「Ｃ＊」が「Ｃ＊≦４」である場合、[Duty]項目２２０３により示されるDutyを「７０％」とすることを示す。
【０２２０】
図２３は、条件を「Ｒ＝Ｇ＝Ｂの明度若しくはＲ、Ｇ、Ｂの最大明度と最小明度との差が一定値以内」とした際の本発明の実施の形態における画像形成装置で行われる処理の流れを示すフローチャートである。
【０２２１】
まず、分類されたオブジェクトが文字オブジェクト若しくは線画オブジェクトであるかを判断し（１６０１）、文字オブジェクト若しくは線画オブジェクトでない場合（１６０１でＮＯ）には、タグ情報として「０」を設定する（１６０４）。また、文字オブジェクト若しくは線画オブジェクトであると判断した場合（１６０１でＹＥＳ）には、続いて、この各オブジェクトが印刷出力時の色材制御に関する条件に該当するかを判断する。
【０２２２】
この印刷出力時の色材制御に関する条件として「Ｒ＝Ｇ＝Ｂの明度若しくはＲ、Ｇ、Ｂの最大明度と最小明度との差が一定値以内」の条件に該当するかを判断する（１６０２）。この条件に該当する場合（１６０２でＹＥＳ）には、タグ情報として「１」を設定する（１６０３）。また、該当しない場合（１６０２でＮＯ）には、タグ情報として「０」を設定する。
【０２２３】
このようにしてタグ情報として「１」が設定されると、続いて、グレー専用の階調補正テーブルを用いて階調補正を行う（２３０１）。このグレー専用の階調補正テーブルの一例を図２４に示す。
【０２２４】
グレー専用の階調補正テーブルにより階調補正が行われると、予め設定された値若しくはタグ情報に含まれる色材制御に関する設定情報に基づいてDutyの設定を行う（１６０８）。例えば、Dutyを「７０％」に設定する。
【０２２５】
このようにDutyが設定されるとその設定されたDutyに基づいてパルス幅変調処理を行う（１６１０）。
【０２２６】
また、タグ情報として「０」が設定されると、続いて、ＲＧＢ色からＣＭＹ色への色変換処理を行い（１６０５）、変換後のＣＭＹ色の階調補正を行う（１６０６）。続いて、階調補正処理が行われたオブジェクトに対して網点生成処理を行う（１６０９）。
【０２２７】
網点生成処理が行われると、網点処理後の各オブジェクトを合成した印刷データに対してパルス幅変調を行う（１６１０）。
【０２２８】
図２４は、グレー専用階調補正テーブルの一例を示しており、ＲＧＢ色の各色が同一明度で表され、より黒色に再現する場合におけるＣＭＹ色におけるＣＭＹ各色の配合割合を示している。
【０２２９】
例えば、ＲＧＢ全てが「０」である場合、シアン色を「８０％」とし、マゼンタ色を「７５％」とし、イエロー色を「６０％」としている。また、ＲＧＢ全てが「２」である場合、シアン色を「７０％」とし、マゼンタ色を「６５％」とし、イエロー色を「５０％」としている。
【０２３０】
図１６〜図２４に基づくDutyによる印刷出力状態を図２５、図２６に示す。
【０２３１】
図２５は、タグ情報が「１」であってDutyを「５０％」とし、ＣＭＹの各色の画素単位で異なる印刷パターンでの印刷状態を示している。
【０２３２】
図２５（ａ）は、シアン色における印刷状態を示し、各画素の左半分を配色した状態である。図２５（ｂ）は、マゼンタ色における印刷状態を示し、各画素の中心から左右に２５％づつ配色した状態である。図２５（ｃ）は、イエロー色における印刷状態を示し、各画素の右半分を配色した状態である。
【０２３３】
図２５（ｄ）は、図２５（ａ）、図２５（ｂ）、図２５（ｃ）を重ね合わせた状態を示す図であって、図２５（ａ）、図２５（ｂ）、図２５（ｃ）の順に重ねた状態を示している。
【０２３４】
すなわち、各画素単位で、下位にある色は上位の色と重ならない場合に配色を確認できる。図２５（ａ）のシアン色は、図２５（ｂ）のマゼンタ色と図２５（ｃ）のイエロー色が重ならない部分で確認できる状態となる。
【０２３５】
このときの重なり状態を図２６に示す。
【０２３６】
図２６では、各画素単位でシアン色とマゼンタ色をDuty「５０％」で印刷し、その上にイエロー色を印刷した状態を示している。
【０２３７】
図２７は、条件を「Ｒ＝Ｇ＝Ｂの明度若しくはＲ、Ｇ、Ｂの最大明度と最小明度との差が一定値以内」とした際の本発明の実施の形態における画像形成装置で行われる処理の流れを示すフローチャートである。
【０２３８】
図２７において、まず、分類されたオブジェクトが文字オブジェクト若しくは線画オブジェクトであるかを判断し（１６０１）、文字オブジェクト若しくは線画オブジェクトでない場合（１６０１でＮＯ）には、タグ情報として「０」を設定する（１６０４）。また、文字オブジェクト若しくは線画オブジェクトであると判断した場合（１６０１でＹＥＳ）には、続いて、この各オブジェクトが印刷出力時の色材制御に関する条件に該当するかを判断する。
【０２３９】
この印刷出力時の色材制御に関する条件として「Ｒ＝Ｇ＝Ｂの明度若しくはＲ、Ｇ、Ｂの最大明度と最小明度との差が一定値以内」の条件に該当するかを判断する（１６０２）。この条件に該当する場合（１６０２でＹＥＳ）には、タグ情報として「１」を設定する（１６０３）。また、該当しない場合（１６０２でＮＯ）には、タグ情報として「０」を設定する。
【０２４０】
このようにしてタグ情報が設定されると、続いて、ＲＧＢ色からＣＭＹ色への色変換処理を行い（１６０５）、変換後のＣＭＹ色の階調補正を行う（１６０６）。階調補正処理が行われたオブジェクトに対するタグ情報に「１」が設定されているかを判断し（１６０７）、タグ情報に「１」が設定されている場合（１６０７でＹＥＳ）には、色版に応じて処理を代える。
【０２４１】
例えば、シアン色による版処理である場合（２７０１でＹＥＳ）に、予め設定された値若しくはタグ情報に含まれる色材制御に関する設定情報に基づいてDutyの設定を行う（１６０８）。
【０２４２】
シアン色以外のマゼンタ色、イエロー色である場合（２７０１でＮＯ）には、タグ情報として「０」が設定されている場合（１６０７でＮＯ）と同様に、網点生成処理を行う（１６０９）。
【０２４３】
続いて、Dutyが設定されている場合にはその設定されたDutyに基づいてパルス幅変調処理を行い（１６１０）、網点生成処理が行われている場合には網点処理後の各オブジェクトを合成した印刷データに対してパルス幅変調を行う（１６１０）。
【０２４４】
図２８は、ＣＭＹ色の濃度に対するDutyを示すグラフであって、横軸にＣＭＹ色の濃度を示し、縦軸にDuty（％）の値を示す。
【０２４５】
この図２８では、ＣＭＹの各色の濃度が高くなれば（濃くなれば）なるほど、指定した色材（図２７に示すの例ではシアン色）のDutyを一定の割合で小さくしていることを示す。他の色材（図２７に示す例では、マゼンタ色、イエロー色）については通常のDuty（１００％）としている。
【０２４６】
図２９は、図２８に示すＣＭＹ色の濃度に対するDutyを示すグラフの他の例であって、ＣＭＹ色の総トナー量（パイルハイト）が高くなる地点Ｃの濃度以降のDutyをシアン色のみ小さくすることを示している。地点Ｃの濃度よりも濃い濃度となると、シアン色は一定の割合でDutyを下げることを示している。
【０２４７】
このときの印刷状態を示す図を図３０、図３１に示す。
【０２４８】
図３０（ａ）は、シアン色のみのDutyを「５０％」とし、図３０（ｂ）に示すマゼンタ色、図３０（ｃ）に示すイエロー色についてはDutyの設定によるパルス幅変調処理を行わない状態を示している。
【０２４９】
これらの図３０（ａ）、図３０（ｂ）、図３０（ｃ）をこの順で重ね合わせた状態を図３０（ｄ）に示す。
【０２５０】
図３１は、図３０に示す印刷状態の重なり状態を示す図であって、シアン色、マゼンタ色、イエロー色が重なり合わさった状態を示している。
【０２５１】
図３２は、条件を「Ｒ＝Ｇ＝Ｂの明度若しくはＲ、Ｇ、Ｂの最大明度と最小明度との差が一定値以内」と「オブジェクトのエッジ部分（縁部分）の抽出」とした際の本発明の実施の形態における画像形成装置で行われる処理の流れを示すフローチャートである。
【０２５２】
図１６において、まず、分類されたオブジェクトが文字オブジェクト若しくは線画オブジェクトであるかを判断し（１６０１）、文字オブジェクト若しくは線画オブジェクトでない場合（１６０１でＮＯ）には、タグ情報として「０」を設定する（１６０４）。また、文字オブジェクト若しくは線画オブジェクトであると判断した場合（１６０１でＹＥＳ）には、続いて、この各オブジェクトが印刷出力時の色材制御に関する条件に該当するかを判断する。
【０２５３】
この印刷出力時の色材制御に関する条件として、まず、「Ｒ＝Ｇ＝Ｂの明度若しくはＲ、Ｇ、Ｂの最大明度と最小明度との差が一定値以内」の条件に該当するかを判断する（１６０２）。この条件に該当しない場合（１６０２でＮＯ）には、タグ情報として「０」を設定する。また、この条件に該当する場合（１６０２でＹＥＳ）には、続いて、「オブジェクトのエッジ部分の抽出」の条件に該当するかを判断する（３２０１）。
【０２５４】
オブジェクトのエッジ部分を抽出する場合（３２０１でＹＥＳ）には、タグ情報として「１」を設定する（１６０３）。また、オブジェクトのエッジ部分を抽出しない場合（３２０１でＮＯ）、タグ情報として「０」を設定する。
【０２５５】
このようにしてタグ情報が設定されると、続いて、ＲＧＢ色からＣＭＹ色への色変換処理を行い（１６０５）、変換後のＣＭＹ色の階調補正を行う（１６０６）。階調補正処理が行われたオブジェクトに対するタグ情報に「１」が設定されているかを判断し（１６０７）、タグ情報に「１」が設定されている場合（１６０７でＹＥＳ）には、予め設定された値若しくはタグ情報に含まれる色材制御に関する設定情報に基づいてDutyの設定を行う（１６０８）。例えば、Dutyを「７０％」に設定する。
【０２５６】
また、タグ情報として「０」が設定されている場合（１６０７でＮＯ）には、網点生成処理を行う（１６０９）。
【０２５７】
続いて、Dutyが設定されている場合にはその設定されたDutyに基づいてオブジェクトのエッジ部分をパルス幅変調処理を行い（１６１０）、網点生成処理が行われている場合には網点処理後の各オブジェクトを合成した印刷データに対してパルス幅変調を行う（１６１０）。
【０２５８】
図３３は、エッジ部分のみに対してDutyを「５０％」に設定した状態を示している。
【０２５９】
図３３（ａ）は、シアン色における印刷状態を示し、エッジ部分についてのみ各画素の左半分を配色した状態である。図２５（ｂ）は、マゼンタ色における印刷状態を示し、エッジ部分についてのみ各画素の中心から左右に２５％づつ配色した状態である。図２５（ｃ）は、イエロー色における印刷状態を示し、エッジ部分についてのみ各画素の右半分を配色した状態である。
【０２６０】
図３３（ｄ）は、図３３（ａ）、図３３（ｂ）、図３３（ｃ）を重ね合わせた状態を示す図であって、図３３（ａ）、図３３（ｂ）、図３３（ｃ）の順に重ねた状態を示している。
【０２６１】
すなわち、各画素単位で、下位にある色は上位の色と重ならない場合に配色を確認できる。
【０２６２】
このときの重なり状態を図３４に示す。
【０２６３】
図３４では、エッジ部分の画素をDuty「５０％」に設定して印刷出力した状態を示す。
【実施例３】
【０２６４】
図３５は、本発明の実施の形態における画像形成装置の構成を示すブロック図である。
【０２６５】
図３５において、、画像形成装置の一例である印刷装置は、コントローラ１０、エンジン２０を具備し、コントローラ１０は、データ取得解析部２０１、描画部２０２、タグ生成部２０３、色変換部２０４、階調補正部２０５、網点生成部２０６、パルス幅変調処理部２０８を備え、エンジン２０は、出力制御部２０９、出力処理部２１０を備えた構成である。
【０２６６】
印刷要求された印刷データをデータ取得解析部２０１で取得し、描画部２０２へと送出する。このときの印刷要求された印刷データは、レッド色（Ｒ）、グリーン色（Ｇ）、ブルー色（Ｂ）（以下、「ＲＧＢ色」という）の色情報により構成されている。
【０２６７】
描画部２０２では、データ取得解析部２０１から受信した印刷データが構成する構成要素であるオブジェクトに分類し、分類後の各オブジェクトを識別する。このとき印刷データを構成するオブジェクトとして、例えば、文字オブジェクト、線画オブジェクト、イメージオブジェクトがある。
【０２６８】
文字オブジェクトは、文字により構成されるオブジェクトであって、線画オブジェクトは、線画である図形・グラフィックにより構成されるオブジェクトであり、イメージオブジェクトは、写真などのイメージ画像により構成されるオブジェクトである。
【０２６９】
描画部２０２により各オブジェクトに分類され、それぞれのオブジェクトが識別されると、印刷データを構成するオブジェクトの情報をタグ生成部２０３へと送出する。
【０２７０】
タグ生成部２０３では、描画部２０２から受信したオブジェクトの情報が文字オブジェクト若しくは線画オブジェクトである場合に、予め指定された印刷出力時の色材制御に関する条件に該当するか否かを判断する。この判断により色材制御に関する条件に該当する文字オブジェクト若しくは線画オブジェクトである場合、当該文字オブジェクト若しくは線画オブジェクトの色材制御に関する条件に基づくタグ情報を生成する。
【０２７１】
この印刷出力時の色材制御に関する条件は、例えば「文字オブジェクト若しくは線画オブジェクトがＲ＝Ｇ＝Ｂの明度若しくはＲ、Ｇ、Ｂの最大明度と最小明度との差が一定値以内」という条件や、「文字オブジェクトが所定の文字サイズ以下である若しくは線画オブジェクトが所定の線幅以下である」という条件などであって、印刷出力時の色材の使用量や色材間の使用割合などに対して制御を行うか否かを決定する条件である。
【０２７２】
このタグ情報は、その印刷出力時の色材制御に関する条件に該当するか否かを示す情報を含み、色材制御に関する条件に該当する場合にはタグ情報として「１」を設定し、この条件に該当しない場合にはタグ情報として「０」を設定する。
【０２７３】
ちなみに、描画部２０２によってイメージオブジェクトが分類され、識別された場合には、そのオブジェクトに対するタグ情報として「０」が設定されたタグ情報を生成する。
【０２７４】
このようにして、タグ生成部２０３で各オブジェクトに対してタグ情報が生成されると、描画部２０２は、タグ生成部２０３からタグ情報を受信する。このとき、描画部２０２は、このタグ情報および各オブジェクトを色変換部２０４へと送出し、色変換処理を要求する。
【０２７５】
色変換部２０４では、受信した各オブジェクトに対して色変換処理を行う。この色変換処理は、例えば、印刷要求された印刷データのＲＧＢ色に基づく色情報を印刷出力時に用いるシアン色（Ｃ）、マゼンタ色（Ｍ）、イエロー色（Ｙ）（以下、「ＣＭＹ色」という）による色情報へと変換する処理がある。
【０２７６】
またこのほか、ＣＩＥ  Ｌ＊ａ＊ｂ＊色空間におけるＬ＊ａ＊ｂ＊の色座標値をＣＭＹ色へと色変換する処理もある。なお、ＣＩＥ  Ｌａｂ色空間における「Ｌ＊」は色の明度を表し、「ａ＊」は赤−緑の軸空間における彩度を示し、「ｂ＊」は黄−青の軸空間における彩度を示す。以下では、Ｌ＊ａ＊ｂ＊の色座標を単に「Ｌａｂ」と示す。
【０２７７】
このように、元となるオブジェクトの色情報に基づいて色変換部２０４でＣＭＹ色へと色変換処理を行うと、色変換を行ったオブジェクトおよびタグ情報を階調補正部２０５へと送出する。
【０２７８】
階調補正部２０５では、色変換部２０４で色変換した変換後のＣＭＹ色に基づいて階調補正を行う。この階調補正部２０５では、さらに、タグ生成部２０３により生成されたタグ情報が「０」であるか「１」であるかを判断するほか、ある特定の色（シアン色、マゼンタ色、イエロー色）のみをタグ情報で「１」であると判断された場合と同様の処理を行うことが指定されているかを判断する。
【０２７９】
タグ情報が「１」である場合には、エンジン２０の出力制御部２０９へとオブジェクトを送出し、タグ情報が「０」である場合には、各オブジェクトおよびタグ情報を網点生成部２０６へと送出する。
【０２８０】
タグ情報が「１」である場合に送出されたエンジン２０の出力制御部２０９では、露光光量設定部２１１で予め指定された所定の露光光量に基づいて出力制御を行う。この露光光量は、上記に示す露光処理におけるレーザー若しくはＬＥＤからの照射強度を示す量である。
【０２８１】
続いて、タグ情報が「０」である場合に送出された網点生成部２０６では、濃淡を表現する網点（「点画像」ともいう）を生成する処理を行う。網点生成部２０６により処理が行われると、オブジェクトをパルス幅変調処理部２０８へと送出する。パルス幅変調処理部２０８では、オブジェクトからなる印刷データに対してパルス幅を変調させる処理を行う。
【０２８２】
パルス幅変調処理部２０８によりパルス幅の変調処理が行われると、エンジン２０にその印刷データを送出する。
【０２８３】
なお、上記の処理では、描画部２０２から送出されたオブジェクトおよびタグ情報を色変換部２０４で受信するような構成としているが、これに限定されることなく、階調補正部２０５において「Ｒ＝Ｇ＝Ｂ若しくはＲ、Ｇ、Ｂの最大明度と最小明度との差が一定値以内」である場合にグレー色専用の階調補正を行うことが設定されているときには、描画部２０２によってタグ生成部２０３で生成されたタグ情報が「１」であると識別することにより、色変換部２０４ではなく階調補正部２０５へとオブジェクトおよびタグ情報を送出するような構成としてもよい。
【０２８４】
これにより、エンジン２０では、パルス幅変調処理部２０８から受信した印刷データを出力制御部２０９で受信し、この出力制御部２０９が印刷データに基づく出力制御を行い、出力処理部２１０へと送出することで出力処理部２１０が印刷出力の処理を行う。
【０２８５】
以下では、タグ生成部２０３で生成されたタグ情報に含まれる印刷出力時の色材制御に関する条件に基づく処理を図３６〜図５０に示し、以下で説明する。
【０２８６】
図３６は、条件を「Ｒ＝Ｇ＝Ｂの明度若しくはＲ、Ｇ、Ｂの最大明度と最小明度との差が一定値以内」とした際の本発明の実施の形態における画像形成装置で行われる処理の流れを示すフローチャートである。
【０２８７】
図３６において、まず、分類されたオブジェクトが文字オブジェクト若しくは線画オブジェクトであるかを判断し（３６０１）、文字オブジェクト若しくは線画オブジェクトでない場合（３６０１でＮＯ）には、タグ情報として「０」を設定する（３６０４）。また、文字オブジェクト若しくは線画オブジェクトであると判断した場合（３６０１でＹＥＳ）には、続いて、この各オブジェクトが印刷出力時の色材制御に関する条件に該当するかを判断する（３６０２）。
【０２８８】
この印刷出力時の色材制御に関する条件として「Ｒ＝Ｇ＝Ｂの明度若しくはＲ、Ｇ、Ｂの最大明度と最小明度との差が一定値以内」という条件に該当するかを判断する（３６０２）。この条件に該当する場合（３６０２でＹＥＳ）には、タグ情報として「１」を設定する（３６０３）。また、該当しない場合（３６０２でＮＯ）には、タグ情報として「０」を設定する（３６０４）。
【０２８９】
このようにしてタグ情報が設定されると、続いて、ＲＧＢ色からＣＭＹ色への色変換処理を行い（３６０５）、変換後のＣＭＹ色の階調補正を行う（３６０６）。階調補正処理が行われたオブジェクトに対するタグ情報に「１」が設定されているかを判断し（３６０７）、タグ情報に「１」が設定されている場合（３６０７でＹＥＳ）には、露光光量を設定して（３６１０）、出力制御処理を行う（３６１１）。
【０２９０】
このときの露光光量は、図４２、図４３に示すグラフを元に決定する。
【０２９１】
図４２には、ＣＭＹ色の濃度に対する露光光量（％）を示すグラフであって、横軸にＣＭＹ色の濃度を示し、縦軸に露光光量の値を示す。
【０２９２】
この図４２では、ＣＭＹの各色の濃度が高くなれば（濃くなれば）なるほど、露光光量を一定の割合で少なくしていくことを示している。この一定の割合がイエロー色、マゼンタ色、シアン色の順に大きいことを示している。すなわち、ＣＭＹ色の濃度が濃くなればなるほど、イエロー色よりもマゼンタ色、マゼンタ色よりもシアン色の露光光量を小さくすることを示している。
【０２９３】
図４３は、図４２に示すＣＭＹ色の濃度に対する露光光量を示すグラフの他の例であって、濃度が高くなることによりＣＭＹ色の総トナー量（パイルハイト）が高くなる一定の範囲でのみＣＭＹ各色の露光光量を一定割合で小さくすることを示している。
【０２９４】
図４３では、地点Ａの濃度まではＣＭＹの各色とも通常の露光光量（１００％）とするがこの地点Ａを超えた濃度となる場合に一定の割合で各色とも露光光量を小さくしている。この一定の割合がイエロー色、マゼンタ色、シアン色の順に大きいことを示している。
【０２９５】
これらの図を用いて露光光量を決定し、印刷出力時に用いる露光光量を設定する（３６１０）。
【０２９６】
次に、タグ情報として「０」が設定されている場合（３６０７でＮＯ）には、網点生成処理を行い（３６０８）、パルス幅変調処理を行う（３６０９）。パルス幅変調処理が行われると、これらの処理に基づく印刷データの印刷出力にかかる出力制御を行う（３６１１）。
【０２９７】
そして、この出力制御に基づいて印刷出力処理が行われる。
【０２９８】
図３７は、条件を「Ｒ＝Ｇ＝Ｂの明度若しくはＲ、Ｇ、Ｂの最大明度と最小明度との差が一定値以内」と「文字オブジェクトが所定の文字サイズ以下である若しくは線画オブジェクトが所定の線幅以下である」とした際の本発明の実施の形態における画像形成装置で行われる処理の流れを示すフローチャートである。
【０２９９】
図３７において、まず、分類されたオブジェクトが文字オブジェクト若しくは線画オブジェクトであるかを判断し（３６０１）、文字オブジェクト若しくは線画オブジェクトでない場合（３６０１でＮＯ）には、タグ情報として「０」を設定する（３６０４）。また、文字オブジェクト若しくは線画オブジェクトであると判断した場合（３６０１でＹＥＳ）には、続いて、この各オブジェクトが印刷出力時の色材制御に関する条件に該当するかを判断する（３６０２）。
【０３００】
この印刷出力時の色材制御に関する条件として「Ｒ＝Ｇ＝Ｂの明度若しくはＲ、Ｇ、Ｂの最大明度と最小明度との差が一定値以内」という条件に該当するか判断する（３６０２）。この条件に該当する場合（３６０２でＹＥＳ）には、続いて、「文字オブジェクトが所定の文字サイズ以下である若しくは線画オブジェクトが所定の線幅以下である」という条件に該当するか判断する（３７０１）。
【０３０１】
文字オブジェクトが所定の文字サイズ以下であり、若しくは線画オブジェクトが所定の線幅以下である場合（３７０１でＹＥＳ）には、タグ情報として「１」を設定する（３６０３）。また、３６０２の処理、３７０１の処理においていずれの条件にも該当しない場合（３６０２でＮＯ、３７０１でＮＯ）には、タグ情報として「０」を設定する（３６０４）。
【０３０２】
このようにしてタグ情報が設定されると、続いて、ＲＧＢ色からＣＭＹ色への色変換処理を行い（３６０５）、変換後のＣＭＹ色の階調補正を行う（３６０６）。階調補正処理が行われたオブジェクトに対するタグ情報に「１」が設定されているかを判断し（３６０７）、タグ情報に「１」が設定されている場合（３６０７でＹＥＳ）には、露光光量を設定して（３６１０）、出力制御処理を行う（３６１１）。
【０３０３】
また、タグ情報として「０」が設定されている場合（３６０７でＮＯ）には、網点生成処理を行い（３６０８）、パルス幅変調処理を行う（３６０９）。パルス幅変調処理が行われると、これらの処理に基づく印刷データの印刷出力にかかる出力制御を行う（３６１１）。
【０３０４】
このときの露光光量は、図４４に示すグラフを元に決定する。
【０３０５】
図４４には、ＣＩＥ  Ｌａｂ色空間におけるａ＊の彩度とｂ＊の彩度に基づく彩度（Ｃ＊）に対する露光光量（％）を示すグラフであって、横軸にＣ＊の彩度を示し、縦軸に露光光量を示す。
【０３０６】
Ｃ＊の値が大きくなればなるほど、彩度は大きくなることを示している。
【０３０７】
図４４では、Ｃ＊の値が「０」から地点Ｂの値となるまでの一定の範囲内で通常の露光光量（１００％）よりも小さくし、Ｃ＊の値が地点Ｂの値を超えると以降の露光光量を通常の露光光量（１００％）としている。Ｃ＊の値が「０」から地点Ｂの値となるまでは、ＣＭＹの各色とも一定の割合で増加させ、地点ＢのＣ＊の値で露光光量を１００％としている。この一定の割合の増加率はイエロー色、マゼンタ色、シアン色の順で大きくなっている。
【０３０８】
このときの具体的な値を図４５に示す。なお、図４５では、Dutyの値を決定するために「Ｃ＊」の値と「Ｌ＊」の値を用いた例を示す。
【０３０９】
図４５は、[Ｌ＊]項目４５０１、[Ｃ＊]項目４５０２、[露光光量]項目４５０３によって構成される。
【０３１０】
図４５において、[Ｌ＊]項目４５０１により示される「Ｌ＊」が「３５＜Ｌ＊≦４０」であって、[Ｃ＊]項目４５０２により示される「Ｃ＊」が「９＜Ｃ＊≦１０」である場合、[露光光量]項目４５０３により示される露光光量を「１００％」とすることを示す。また、[Ｌ＊]項目４５０１により示される「Ｌ＊」が「Ｌ＊≦１０」であって、[Ｃ＊]項目４５０２により示される「Ｃ＊」が「Ｃ＊≦４」である場合、[露光光量]項目４５０３により示される露光光量を「７０％」とすることを示す。
【０３１１】
これらの図を用いて露光光量を決定し、印刷出力時に用いる露光光量を設定する（３６１０）。
【０３１２】
そして、この出力制御に基づいて印刷出力処理が行われる。
【０３１３】
図３８は、条件を「ＣＩＥ  Ｌ＊ａ＊ｂ＊色空間におけるａ＊の彩度とｂ＊の彩度に基づく彩度（Ｃ＊）が一定値以内であって、かつＬ＊の明度が一定値以内」とした際の本発明の実施の形態における画像形成装置で行われる処理の流れを示すフローチャートである。
【０３１４】
図３８において、まず、分類されたオブジェクトが文字オブジェクト若しくは線画オブジェクトであるかを判断し（３６０１）、文字オブジェクト若しくは線画オブジェクトでない場合（３６０１でＮＯ）には、タグ情報として「０」を設定する（３６０４）。また、文字オブジェクト若しくは線画オブジェクトであると判断した場合（３６０１でＹＥＳ）には、続いて、この各オブジェクトが印刷出力時の色材制御に関する条件に該当するかを判断する。
【０３１５】
この印刷出力時の色材制御に関する条件として「ＣＩＥ  Ｌ＊ａ＊ｂ＊色空間におけるａ＊の彩度とｂ＊の彩度に基づく彩度（Ｃ＊）が一定値以内であって、かつＬ＊の明度が一定値以内」であるかを判断する（３８０１）。この条件に該当する場合（３８０１でＹＥＳ）には、タグ情報として「１」を設定する（３６０３）。また、この条件に該当しない場合（３８０１でＮＯ）には、タグ情報として「０」を設定する（３６０４）。
【０３１６】
このようにしてタグ情報が設定されると、続いて、Ｌａｂ空間からＣＭＹ色への色変換処理を行い（３８０２）、変換後のＣＭＹ色の階調補正を行う（３６０６）。階調補正処理が行われたオブジェクトに対するタグ情報に「１」が設定されているかを判断し（３６０７）、タグ情報に「１」が設定されている場合（３６０７でＹＥＳ）には、露光光量を設定して（３６１０）、出力制御処理を行う（３６１１）。
【０３１７】
また、タグ情報として「０」が設定されている場合（３６０７でＮＯ）には、網点生成処理を行い（３６０８）、パルス幅変調処理を行う（３６０９）。パルス幅変調処理が行われると、これらの処理に基づく印刷データの印刷出力にかかる出力制御を行う（３６１１）。
【０３１８】
そして、この出力制御に基づいて印刷出力処理が行われる。
【０３１９】
図３９は、条件を「Ｒ＝Ｇ＝Ｂの明度若しくはＲ、Ｇ、Ｂの最大明度と最小明度との差が一定値以内」とした際の本発明の実施の形態における画像形成装置で行われる処理の流れを示すフローチャートである。
【０３２０】
まず、分類されたオブジェクトが文字オブジェクト若しくは線画オブジェクトであるかを判断し（３６０１）、文字オブジェクト若しくは線画オブジェクトでない場合（３６０１でＮＯ）には、タグ情報として「０」を設定する（３６０４）。また、文字オブジェクト若しくは線画オブジェクトであると判断した場合（３６０１でＹＥＳ）には、続いて、この各オブジェクトが印刷出力時の色材制御に関する条件に該当するかを判断する（３６０２）。
【０３２１】
この印刷出力時の色材制御に関する条件として「Ｒ＝Ｇ＝Ｂの明度若しくはＲ、Ｇ、Ｂの最大明度と最小明度との差が一定値以内」であるかを判断する（３６０２）。この条件に該当する場合（３６０２でＹＥＳ）には、タグ情報として「１」を設定する（３６０３）。また、該当しない場合（３６０２でＮＯ）には、タグ情報として「０」を設定する（３６０４）。
【０３２２】
このようにしてタグ情報として「１」が設定されると、続いて、グレー専用の階調補正テーブルを用いて階調補正を行う（３９０１）。
【０３２３】
グレー専用の階調補正テーブルにより階調補正が行われると、露光光量を設定して（３６１０）、出力制御処理を行う（３６１１）。
【０３２４】
また、タグ情報として「０」が設定されると、続いて、ＲＧＢ色からＣＭＹ色への色変換処理を行い（３６０５）、変換後のＣＭＹ色の階調補正を行う（３６０６）。続いて、階調補正処理が行われたオブジェクトに対して網点生成処理を行う（３６０８）。
【０３２５】
網点生成処理が行われると、網点処理後の各オブジェクトを合成した印刷データに対してパルス幅変調を行う（３６０９）。そして、このパルス幅変調処理が行われると、露光光量を設定して（３６１０）、出力制御処理を行う（３６１１）。
【０３２６】
図４０は、図３５から図３９におけるフローチャートに示す露光光量により印刷出力した状態を示す図である。
【０３２７】
図４０（ａ）は、通常の露光光量（１００％）から露光光量を「７０％」に低下させてシアン色を全画素に印刷出力した状態を示す。また、図４０（ｂ）は、通常の露光光量（１００％）から露光光量を「７０％」に低下させてマゼンタ色を全画素に印刷出力した状態を示す。また、図４０（ｃ）は、通常の露光光量（１００％）から露光光量を「７０％」に低下させてイエロー色を全画素に印刷出力した状態を示す。
【０３２８】
図４０（ｄ）は、図４０（ａ）に示す露光光量７０％でのシアン色、図４０（ｂ）に示す露光光量７０％でのマゼンタ色、図４０（ｃ）に示す露光光量７０％でのイエロー色を重ね合わせて印刷出力した状態を示す図であって、図４１に示すような色材の階層により構成される。
【０３２９】
すなわち、図４１は、印刷用紙若しくは転写ベルトの上にシアン色、マゼンタ色、イエロー色の順に色材が重ね合わされた状態を示しており、総トナー量（パイルハイト）がシアン色、マゼンタ色、イエロー色の各色１００％の露光光量で印刷出力した場合に比べて少ない状態となっている。
【０３３０】
シアン色、マゼンタ色、イエロー色を１００％の露光光量で印刷出力した場合を「３００」とすると、図４１に示すこれら３色の露光光量は「２１０」となる。
【０３３１】
図４６は、条件を「Ｒ＝Ｇ＝Ｂの明度若しくはＲ、Ｇ、Ｂの最大明度と最小明度との差が一定値以内」とした際の本発明の実施の形態における画像形成装置で行われる処理の流れを示すフローチャートである。
【０３３２】
図４６において、まず、分類されたオブジェクトが文字オブジェクト若しくは線画オブジェクトであるかを判断し（３６０１）、文字オブジェクト若しくは線画オブジェクトでない場合（３６０１でＮＯ）には、タグ情報として「０」を設定する（３６０４）。また、文字オブジェクト若しくは線画オブジェクトであると判断した場合（３６０１でＹＥＳ）には、続いて、この各オブジェクトが印刷出力時の色材制御に関する条件に該当するかを判断する（３６０２）。
【０３３３】
この印刷出力時の色材制御に関する条件として「Ｒ＝Ｇ＝Ｂの明度若しくはＲ、Ｇ、Ｂの最大明度と最小明度との差が一定値以内」であるかを判断する（３６０２）。この条件に該当する場合（３６０２でＹＥＳ）には、タグ情報として「１」を設定する（３６０３）。また、該当しない場合（３６０２でＮＯ）には、タグ情報として「０」を設定する（３６０４）。
【０３３４】
このようにしてタグ情報が設定されると、続いて、ＲＧＢ色からＣＭＹ色への色変換処理を行い（３６０５）、変換後のＣＭＹ色の階調補正を行う（３６０６）。階調補正処理が行われたオブジェクトに対するタグ情報に「１」が設定されているかを判断し（３６０７）、タグ情報に「１」が設定されている場合（３６０７でＹＥＳ）には、色版に応じて処理を代える。
【０３３５】
例えば、シアン色による版処理である場合（４６０１でＹＥＳ）に、露光光量を設定して（３６１０）、出力制御処理を行う（３６１１）。
【０３３６】
シアン色以外のマゼンタ色、イエロー色である場合（４６０１でＮＯ）には、タグ情報として「０」が設定されている場合（３６０７でＮＯ）と同様に、網点生成処理を行い（３６０８）、パルス幅変調処理を行う（３６０９）。パルス幅変調処理が行われると、これらの処理に基づく印刷データの印刷出力にかかる出力制御を行う（３６１１）。
【０３３７】
そして、この出力制御に基づいて印刷出力処理が行われる。
【０３３８】
このときの印刷状態を示す図を図４７、図４８に示す。
【０３３９】
図４７（ａ）は、露光光量を低減させたシアン色による全画素の印刷出力状態を示し、図４７（ｂ）と図４７（ｃ）は、マゼンタ色、イエロー色について露光光量１００％の印刷状態を示す図である。
【０３４０】
これらの図４７（ａ）、図４７（ｂ）、図４７（ｃ）をこの順で重ね合わせた状態を図４７（ｄ）に示す。
【０３４１】
図４８は、図４７に示す印刷状態の重なり状態を示す図であって、シアン色上に、マゼンタ色、イエロー色を各画素単位で重なり合わさった状態を示している。図４８に示すシアン色は、他の色材（マゼンタ色、イエロー色）の露光光量よりも少ない露光光量で印刷出力された状態を示している。
【０３４２】
図４９は、ＣＭＹ色の濃度に対する露光光量を示すグラフであって、横軸にＣＭＹ色の濃度を示し、縦軸に露光光量（％）の値を示す。
【０３４３】
この図４９では、ＣＭＹの各色の濃度が高くなれば（濃くなれば）なるほど、指定した色材（図４６に示すの例ではシアン色）の露光光量を一定の割合で小さくしていることを示す。他の色材（図４６に示す例では、マゼンタ色、イエロー色）については通常の露光光量（１００％）としている。
【０３４４】
図５０は、図４９に示すＣＭＹ色の濃度に対するDutyを示すグラフの他の例であって、ＣＭＹ色の総トナー量（パイルハイト）が高くなる地点Ｃの濃度以降の露光光量をシアン色のみ小さくすることを示している。地点Ｃの濃度よりも濃い濃度となると、シアン色は一定の割合で露光光量を下げることを示している。
【０３４５】
図５１は、条件を「Ｒ＝Ｇ＝Ｂの明度若しくはＲ、Ｇ、Ｂの最大明度と最小明度との差が一定値以内」と「オブジェクトのエッジ部分の抽出」とした際の本発明の実施の形態における画像形成装置で行われる処理の流れを示すフローチャートである。
【０３４６】
図５１において、まず、分類されたオブジェクトが文字オブジェクト若しくは線画オブジェクトであるかを判断し（３６０１）、文字オブジェクト若しくは線画オブジェクトでない場合（３６０１でＮＯ）には、タグ情報として「０」を設定する（３６０４）。また、文字オブジェクト若しくは線画オブジェクトであると判断した場合（３６０１でＹＥＳ）には、続いて、この各オブジェクトが印刷出力時の色材制御に関する条件に該当するかを判断する。
【０３４７】
この印刷出力時の色材制御に関する条件として、まず、「Ｒ＝Ｇ＝Ｂの明度若しくはＲ、Ｇ、Ｂの最大明度と最小明度との差が一定値以内」であるかを判断する（３６０２）。この条件に該当しない場合（３６０２でＮＯ）には、タグ情報として「０」を設定する（３６０４）。また、この条件に該当する場合（３６０２でＹＥＳ）には、続いて、「オブジェクトのエッジ部分を抽出」という条件に該当するかを判断する（５１０１）。
【０３４８】
オブジェクトのエッジ部分である場合（５１０１でＹＥＳ）には、タグ情報として「１」を設定する（３６０３）。また、オブジェクトのエッジ部分を抽出」という条件に該当しない場合（５１０１でＮＯ）には、タグ情報として「０」を設定する（３６０４）。
【０３４９】
このようにしてタグ情報が設定されると、続いて、ＲＧＢ色からＣＭＹ色への色変換処理を行い（３６０５）、変換後のＣＭＹ色の階調補正を行う（３６０６）。階調補正処理が行われたオブジェクトに対するタグ情報に「１」が設定されているかを判断し（３６０７）、タグ情報に「１」が設定されている場合（３６０７でＹＥＳ）には、露光光量を設定して（３６１０）、出力制御処理を行う（３６１１）。
【０３５０】
また、タグ情報として「０」が設定されている場合（３６０７でＮＯ）には、網点生成処理を行い（３６０８）、パルス幅変調処理を行う（３６０９）。パルス幅変調処理が行われると、これらの処理に基づく印刷データの印刷出力にかかる出力制御を行う（３６１１）。
【０３５１】
そして、この出力制御に基づいて印刷出力処理が行われる。
【０３５２】
図５２は、エッジ部分のみに対して露光光量を設定して印刷出力した状態を示している。
【０３５３】
図５２（ａ）は、シアン色における印刷状態を示し、エッジ部分についてのみ通常の露光光量（１００％）よりも低減させた露光光量で印刷出力した状態を示す。図５２（ｂ）は、マゼンタ色における印刷状態を示し、エッジ部分についてのみ通常の露光光量（１００％）よりも低減させた露光光量で印刷出力した状態を示す。図５２（ｃ）は、イエロー色における印刷状態を示し、エッジ部分についてのみ通常の露光光量（１００％）よりも低減させた露光光量で印刷出力した状態を示す。
【０３５４】
図５２（ｄ）は、図５２（ａ）、図５２（ｂ）、図５２（ｃ）を重ね合わせた状態を示す図であって、図５３に示すような色材の階層により構成される。
【０３５５】
すなわち、図５３は、エッジ部分についての露光光量を５０％として重ね合わせを行った図である。
【０３５６】
図５４は、条件を「Ｒ＝Ｇ＝Ｂの明度若しくはＲ、Ｇ、Ｂの最大明度と最小明度との差が一定値以内」とした際の本発明の実施の形態における画像形成装置で行われる処理の流れを示すフローチャートである。
【０３５７】
図５４において、まず、分類されたオブジェクトが文字オブジェクト若しくは線画オブジェクトであるかを判断し（３６０１）、文字オブジェクト若しくは線画オブジェクトでない場合（３６０１でＮＯ）には、タグ情報として「０」を設定する（３６０４）。また、文字オブジェクト若しくは線画オブジェクトであると判断した場合（３６０１でＹＥＳ）には、続いて、この各オブジェクトが印刷出力時の色材制御に関する条件に該当するかを判断する（３６０２）。
【０３５８】
この印刷出力時の色材制御に関する条件として「Ｒ＝Ｇ＝Ｂの明度若しくはＲ、Ｇ、Ｂの最大明度と最小明度との差が一定値以内」であるかを判断する（３６０２）。この条件に該当する場合（３６０２でＹＥＳ）には、タグ情報として「１」を設定する（３６０３）。また、該当しない場合（３６０２でＮＯ）には、タグ情報として「０」を設定する（３６０４）。
【０３５９】
このようにしてタグ情報が設定されると、続いて、ＲＧＢ色からＣＭＹ色への色変換処理を行い（３６０５）、変換後のＣＭＹ色の階調補正を行う（３６０６）。階調補正処理が行われたオブジェクトに対するタグ情報に「１」が設定されているかを判断し（３６０７）、タグ情報に「１」が設定されている場合（３６０７でＹＥＳ）には、色版に応じて処理を代える。
【０３６０】
タグ情報として「０」が設定されている場合（３６０７でＮＯ）には、網点生成処理を行い（３６０８）、パルス幅変調処理を行う（３６０９）。パルス幅変調処理が行われると、これらの処理に基づく印刷データの印刷出力にかかる出力制御を行う（３６１１）。
【０３６１】
例えば、イエロー色による版処理である場合（５４０１でＹＥＳ）に、露光光量を設定して（３６１０）、出力制御処理を行う（３６１１）。
【０３６２】
イエロー色以外のシアン色、マゼンタ色である場合（５４０１でＮＯ）には、Dutyを設定して（５４０２）、パルス幅変調処理を行う（３６０９）。
【０３６３】
そして、この出力制御に基づいて印刷出力処理が行われる。
【０３６４】
図５５は、イエロー色のみの露光光量を通常の露光光量から低減させた印刷状態を示す図である。
【０３６５】
図５５（ａ）は、シアン色の印刷状態を示し、Dutyを５０％として各画素の左端半分を印刷した状態であり、図５５（ｂ）は、マゼンタ色の印刷状態を示し、Dutyを５０％として各画素の右端半分を印刷した状態であり、図５５（ｃ）は、全画素を通常の露光光量よりも低減させた露光光量で印刷した状態を示す。
【０３６６】
図５５（ｄ）は、図５５（ａ）のシアン色、図５５（ｂ）のマゼンタ色、図５５（ｃ）のイエロー色を重ね合わせた状態を示す図であって、各画素の左端半分はシアン色と露光光量が低減したイエロー色との重なりによる色であり、各画素の右端半分はマゼンタ色と露光光量が低減したイエロー色との重なりによる色である。
【０３６７】
図５６は、図５５における色の重ね合わせ状態を示す図であって、Duty５０％のシアン色とマゼンタ色の上に露光光量を低減させたイエロー色を重ね合わせた状態を示す。
【０３６８】
本発明は、上記し、且つ図面に示す実施例に限定することなく、その要旨を変更しない範囲内で適宜変形して実施できるものである。
【図面の簡単な説明】
【０３６９】
【図１】本発明の実施の形態における画像形成装置を適用して構成した画像形成装置の構成を示すブロック図の一例。
【図２】電子写真印刷を行う感光体の表面電位を示すグラフ。
【図３】電子写真印刷における感光体の表面電位と現像濃度の関係を示すグラフ。
【図４】ＣＭＹ３色を用いた印刷の際に上記処理による低減を行う前と低減を行った後のトナー使用量を示す図。
【図５】転写トナー量の低減を行う画像形成装置で行われる処理の流れを示すフローチャート。
【図６】ＣＭＹ色による印刷データの印刷に用いるトナー使用量の制御処理の流れを示すフローチャート。
【図７】ＣＭＹ色による印刷データの印刷に用いるトナー使用量の制御処理の流れを示すフローチャート。
【図８】印刷データのオブジェクトのトナー付着率に対する単位面積あたりのトナー量を示すグラフ
【図９】本発明の実施の形態における画像形成装置における処理の流れを示すフローチャート。
【図１０】電子写真印刷における感光体の表面電位を示すグラフ。
【図１１】オブジェクトのサイズ情報が所定の範囲に属するサイズ情報である場合における画像形成装置における処理の流れを示す図。
【図１２】１２００ｄｐｉの解像度により印刷出力した文字と６００ｄｐｉの解像度により印刷出力した文字の例。
【図１３】ＬＥＤによる露光状態を示す図。
【図１４】印刷データの出力結果を示す図。
【図１５】本発明の実施の形態における画像形成装置を適用して構成した画像形成装置の構成を示す示すブロック図。
【図１６】本発明の実施の形態における画像形成装置で行われる処理の流れを示すフローチャート。
【図１７】ＣＭＹ色の濃度に対するDuty（％）を示すグラフ。
【図１８】図１７に示すＣＭＹ色の濃度に対するDutyを示すグラフの他の例。
【図１９】本発明の実施の形態における画像形成装置で行われる処理の流れを示すフローチャート。
【図２０】本発明の実施の形態における画像形成装置で行われる処理の流れを示すフローチャート。
【図２１】ＣＩＥ  Ｌａｂ色空間におけるａ＊の彩度とｂ＊の彩度に基づく彩度（Ｃ＊）に対するDuty（％）を示すグラフ。
【図２２】ＣＩＥ  Ｌａｂ色空間におけるａ＊の彩度とｂ＊の彩度に基づく彩度（Ｃ＊）に対するDuty（％）の値を示すテーブル構成図。
【図２３】本発明の実施の形態における画像形成装置で行われる処理の流れを示すフローチャート。
【図２４】グレー専用階調補正テーブルの一例。
【図２５】設定したDutyによる印刷出力状態を示す図。
【図２６】設定したDutyによる印刷出力状態を示す図。
【図２７】本発明の実施の形態における画像形成装置で行われる処理の流れを示すフローチャート。
【図２８】ＣＭＹ色の濃度に対するDutyを示すグラフ。
【図２９】図２８に示すＣＭＹ色の濃度に対するDutyを示すグラフの他の例。
【図３０】印刷出力した状態を示す図。
【図３１】印刷出力した状態を示す図。
【図３２】本発明の実施の形態における画像形成装置で行われる処理の流れを示すフローチャート。
【図３３】エッジ部分のみに対してDutyを「５０％」に設定して印刷出力した状態を示す図。
【図３４】エッジ部分の画素をDuty「５０％」に設定して印刷出力した状態を示す図。
【図３５】本発明の実施の形態における画像形成装置の構成を示すブロック図。
【図３６】本発明の実施の形態における画像形成装置で行われる処理の流れを示すフローチャート。
【図３７】本発明の実施の形態における画像形成装置で行われる処理の流れを示すフローチャート。
【図３８】本発明の実施の形態における画像形成装置で行われる処理の流れを示すフローチャート。
【図３９】本発明の実施の形態における画像形成装置で行われる処理の流れを示すフローチャート。
【図４０】印刷出力した状態を示す図。
【図４１】印刷出力した状態を示す図。
【図４２】ＣＭＹ色の濃度に対する露光光量（％）を示すグラフ。
【図４３】図４２に示すＣＭＹ色の濃度に対する露光光量を示すグラフの他の例。
【図４４】ＣＩＥ  Ｌａｂ色空間におけるａ＊の彩度とｂ＊の彩度に基づく彩度（Ｃ＊）に対する露光光量（％）を示すグラフ。
【図４５】ＣＩＥ  Ｌａｂ色空間におけるａ＊の彩度とｂ＊の彩度に基づく彩度（Ｃ＊）に対する露光光量（％）の値を示すテーブル構成図。
【図４６】本発明の実施の形態における画像形成装置で行われる処理の流れを示すフローチャート。
【図４７】露光光量を低減させたシアン色による全画素の印刷出力状態。
【図４８】図４７に示す印刷状態の重なり状態を示す図。
【図４９】ＣＭＹ色の濃度に対する露光光量を示すグラフ。
【図５０】図４９に示すＣＭＹ色の濃度に対するDutyを示すグラフの他の例。
【図５１】本発明の実施の形態における画像形成装置で行われる処理の流れを示すフローチャート。
【図５２】エッジ部分のみに対して露光光量を設定して印刷出力した状態。
【図５３】印刷出力した状態を示す図。
【図５４】本発明の実施の形態における印画像形成装置で行われる処理の流れを示すフローチャート。
【図５５】イエロー色のみの露光光量を通常の露光光量から低減させた印刷状態を示す図。
【図５６】図５５における色の重ね合わせ状態を示す図。
【符号の説明】
【０３７０】
１０        コントローラ
２０        エンジン
１０１      データ取得解析部
１０２      オブジェクト識別部
１０３      色変換処理部
１０４      階調補正処理部
１０５      スクリーン処理部
１０６      ページメモリ／合成処理部
１０７      画像信号生成部
１２０      出力制御部
１２１      出力処理部
２０１      データ取得解析部
２０２      描画部
２０３      タグ生成部
２０４      色変換処理部
２０５      階調補正処理部
２０６      網点生成部
２０７      パルス幅変調処理部
２０８      出力制御部
２０９      露光光量設定部
２１０      出力処理部
３０１      Duty設定部
【図１】
2010079018.tif 000003
【図２】
2010079018.tif 000004
【図３】
2010079018.tif 000005
【図４】
2010079018.tif 000006
【図５】
2010079018.tif 000007
【図６】
2010079018.tif 000008
【図７】
2010079018.tif 000009
【図８】
2010079018.tif 000010
【図９】
2010079018.tif 000011
【図１０】
2010079018.tif 000012
【図１１】
2010079018.tif 000013
【図１２】
2010079018.tif 000014
【図１３】
2010079018.tif 000015
【図１４】
2010079018.tif 000016
【図１５】
2010079018.tif 000017
【図１６】
2010079018.tif 000018
【図１７】
2010079018.tif 000019
【図１８】
2010079018.tif 000020
【図１９】
2010079018.tif 000021
【図２０】
2010079018.tif 000022
【図２１】
2010079018.tif 000023
【図２２】
2010079018.tif 000024
【図２３】
2010079018.tif 000025
【図２４】
2010079018.tif 000026
【図２５】
2010079018.tif 000027
【図２６】
2010079018.tif 000028
【図２７】
2010079018.tif 000029
【図２８】
2010079018.tif 000030
【図２９】
2010079018.tif 000031
【図３０】
2010079018.tif 000032
【図３１】
2010079018.tif 000033
【図３２】
2010079018.tif 000034
【図３３】
2010079018.tif 000035
【図３４】
2010079018.tif 000036
【図３５】
2010079018.tif 000037
【図３６】
2010079018.tif 000038
【図３７】
2010079018.tif 000039
【図３８】
2010079018.tif 000040
【図３９】
2010079018.tif 000041
【図４０】
2010079018.tif 000042
【図４１】
2010079018.tif 000043
【図４２】
2010079018.tif 000044
【図４３】
2010079018.tif 000045
【図４４】
2010079018.tif 000046
【図４５】
2010079018.tif 000047
【図４６】
2010079018.tif 000048
【図４７】
2010079018.tif 000049
【図４８】
2010079018.tif 000050
【図４９】
2010079018.tif 000051
【図５０】
2010079018.tif 000052
【図５１】
2010079018.tif 000053
【図５２】
2010079018.tif 000054
【図５３】
2010079018.tif 000055
【図５４】
2010079018.tif 000056
【図５５】
2010079018.tif 000057
【図５６】
2010079018.tif 000058